(57)【要約】【課題】床付き布枠の両端の隙間を少なくできるとともに、階段部材を建物側と道路側を問わず、どの場所にも組み込むことができ、かつ、階段部材を枠組足場に組み入れるときに階段部材の掴み金具が建枠の横桟又は腕木材を確実に掴むことができ、また、階段部材を枠組足場から取り外すときにために階段部材の掴み金具が下段の足場の床付き布枠の端面を回避できる床付き布枠と、この床付き布枠を組み込んでなる枠組足場を提供する。【解決手段】外向きに平板状のひさし部を設けた梁材を両端に備える床付き布枠であって、そのひさし部の下に掴み金具を受容できるだけのスペースを有することを特徴とする床付き布枠及び枠組足場。ひさし部は掴み金具を受容可能な１個又は複数個の切欠き部を外向きに有してもよい。【選択図】図３８
2010090676.tif 000002
【特許請求の範囲】
【請求項１】
外向きに平板状のひさし部を設けた梁材を両端に備える床付き布枠であって、そのひさし部の下に掴み金具を受容できるだけのスペースを有することを特徴とする床付き布枠。
【請求項２】
ひさし部は梁材の上側フランジを外側に延長することによって形成されることを特徴とする、請求項１に記載の床付き布枠。
【請求項３】
ひさし部は、梁材の外側に梁材と平行にひさし部材を接合することによって形成されることを特徴とする、請求項１に記載の床付き布枠。
【請求項４】
ひさし部はリブによって補強されていることを特徴とする、請求項１から３までのいずれかに記載の床付き布枠。
【請求項５】
ひさし部は掴み金具を受容可能な１個又は複数個の切欠き部を外向きに有することを特徴とする、請求項１から４までのいずれかに記載の床付き布枠。
【請求項６】
請求項１から５までのいずれかに記載の床付き布枠が組み込まれていることを特徴とする枠組足場。
【請求項７】
請求項６に記載の枠組足場であって、階段部材が組み込まれていることを特徴とする枠組足場。
【発明の詳細な説明】
【技術分野】
【０００１】
本発明は、建築現場等で枠組足場の作業床及び通路として使用される床付き布枠並びにこの床付き布枠を組み込んでなる枠組足場に関する。
【背景技術】
【０００２】
建築現場等で用いられる枠組足場には、例えば、建枠に筋違（すじかい）や手摺枠を取り付けてなる「建枠式足場」と、支柱部材やブレース材（斜材ともいう。）や手摺部材等の足場構成部材を緊結して組み立ててなる「緊結式足場」がある。
【０００３】
「建枠式足場」は、通常、横桟と縦柱から構成されるＨ形状や鳥居形状の建枠を複数個組み立てることによって形成される。すなわち、建枠の複数個を、所定の間隔で建物等の構造物とは直角に立設し、隣接する建枠の縦柱の間に筋違や手摺枠を取り付け固定して複数個の建枠を自立させた後、隣接する建枠の横桟の間に床付き布枠（布板ともいう。）を１枚又は２枚以上架け渡すことで、１単位の足場を形成する。次に、既に立設した建枠の上に、別途用意された建枠を立設し、同様にして筋違や手摺枠を隣接する建枠の間に取り付け固定した後、新たに立設した建枠の横桟の上に床付き布枠を１枚又は２枚以上架け渡すことによって一つ上の段の足場を形成する。これを順次繰り返すことによって、全体の枠組み足場を形成する。
【０００４】
この建枠として、Ｈ形状の建枠（以下、「Ｈ枠」という。）を用いて建枠式の枠組足場を形成する一例を、図１に示す。(a)が正面図、(b)が右側面図である。
【０００５】
３個のＨ枠１を建物２２とは直角に等間隔に並べ、隣接するＨ枠の間に、建物とは反対側に手摺枠１０をロック金具６ｂに取り付けて、１段目のＨ枠１を自立させる。さらに、建物とは反対側に手摺枠１０をロック金具７ｂに取り付け、そして建物側の手摺枠１０をロック金具７ａに取り付けて固定する。その後、１段目の隣接するＨ枠１の横桟３の間に床付き布枠１１を架け渡して、１段目の足場を形成する。次に、既に立設した１段目のＨ枠１の縦柱２の上に、別途用意したＨ枠１の縦柱２の下部を載置し、固定ピン（図示せず）で固定することによって、２段目のＨ枠１を立設する。その後、１段目と同様にして、建物とは反対側に手摺枠１０をロック金具６ｂと７ｂに取り付け、そして、建物側に手摺枠１０をロック金具７ａに取り付けて固定し、その後、２段目のＨ枠１の横桟３に床付き布枠１１を架け渡して、２段目の足場を形成する。３段目の足場も、２段目の足場と同じ手順で組み立てる。すなわち、建物とは反対側に手摺枠１０を取り付け、そして、建物側に手摺枠１０を取り付けて固定し、その後、３段目のＨ枠１の横桟３に床付き布枠１１を架け渡して、３段目の足場を形成する。このようにして、必要な段数になるまで枠組足場を形成する。
【０００６】
また、建枠を用いる他の例として、鳥居形状の建枠（以下、「鳥居枠」という。）を用いて建枠式の枠組足場を形成する１例を、図２に示す。(a)が正面図、(b)が右側面図である。
【０００７】
まず３個の鳥居枠４を建物２２とは直角に等間隔に並べ、隣接する鳥居枠４との間に、建物とは反対側に筋違１３をロック金具８ｂに取り付け、そして建物側にも筋違１３をロック金具８ａに取り付けて、１段目の鳥居枠４を自立させることによって、１段目の足場を形成する。その後、１段目の隣接する鳥居枠４の上部の横桟３の間に２段目の足場板となる床付き布枠１１を架け渡した後、既に立設した１段目の鳥居枠４の縦柱２の上に、別途用意した鳥居枠４の縦柱２の下部を載置し、固定ピン（図示せず）で固定することによって、２段目の鳥居枠４を立設する。その後、１段目と同様にして、建物とは反対側に筋違１３をロック金具８ｂに取り付け、そして、建物側にも筋違１３をロック金具８ａに取り付けて、２段目の鳥居枠４を自立させることによって、２段目の足場を形成する。その後、２段目の隣接する鳥居枠４の上部の横桟３の間に３段目の足場板となる床付き布枠１１を架け渡した後、既に立設した２段目の鳥居枠４の縦柱２の上に、別途用意した鳥居枠４の縦柱２の下部を載置し、固定ピン（図示せず）で固定することによって、３段目の鳥居枠４を立設する。その後、２段目と同様にして、建物とは反対側に筋違１３をロック金具８ｂに取り付け、そして、建物側にも筋違１３をロック金具８ａに取り付けて、３段目の鳥居枠４を自立させることによって、３段目の足場を形成する。このようにして、必要な段数になるまで枠組足場を形成する。
【０００８】
一方、「緊結式足場」は、「コマ」と呼ばれる取付部材が複数個設けられた支柱部材に、手摺部材、ブレース材、腕木部材等の足場構成部材をコマを介して取り付け、そして、コマにおいて楔等によってこれらの足場構成部材を緊結した後、床付き布枠を１枚又は２枚以上架け渡すことによって、組み立てられる。
【０００９】
図３に、緊結式足場の構造の一例を示す。(a)は緊結式足場の正面図、(b)は(a)において円で示されたコマの周辺の拡大図、そして、(c)は緊結式足場の右側面図である。
【００１０】
緊結式足場は、支柱１４が建物側とその反対側に各３本が立設されている。各々の支柱１４は、複数のコマ２０を有する支柱部材１６を縦に継ぎ足すことによって形成されている。建物側の隣接する支柱１４の間には、コマ２０を介してブレース材１９が取り付けられ、また、建物とは反対側の隣接する支柱１４の間には、コマ２０を介して作業用手摺１５が取り付けられ、コマ２０において楔等で緊結される。さらに、建物側の支柱１４と建物とは反対側の支柱１４の間には、コマ２０を介して腕木材２１が取り付けられ、コマ２０において楔等で緊結され、そして、隣接する腕木材２１の間に、床付き布枠１１を架け渡すことで、１段目の足場が形成される。なお、ブレース材１９は建物とは反対側の支柱１４の間に取り付ける場合もある。
【００１１】
２段目の足場は、１段目の足場と同様にして形成される。必要に応じて、１段目の足場の支柱１４の上端に別途用意した支柱１４を縦方向に継ぎ足した上で、ブレース材１９、手摺部材１５、腕木部材２１をコマ２０を介して取り付け緊結した後、床付き布枠１１を架け渡すことによって、形成される。これを順次繰り返すことによって、複数段の緊結式足場が形成される。
【００１２】
このように、床付き布枠は、建枠式枠組足場と緊結式枠組足場とを問わず、すべての枠組足場に組み込まれており、作業床及び通路として用いられている。
【００１３】
床付き布枠は、長尺の主材の１本又は２本以上と、主材の長手方向の両端に取り付けられる掴み金具と断面コの字形の梁材から構成されている。主材は水平面の床材部とその両縁側面を折り曲げてなる布材部とからなる。長尺の主材の両端部に断面コの字形の梁材が取り付けられ、そして、長尺の主材の両端部の四隅に掴み金具がリベット等で固定されて取り付けられる。なお、床付き布枠上を歩行する際に作業員が滑るのを防止するために、床材部の上面にはエンボス加工が施されることがある。また、床材部が幅方向に撓るのを防止するため、床材部の中央部の下側に桟木が設けられることがある。
【００１４】
上述のとおり、１枚の床付き布枠に組み込まれる主材は、１枚だけでなく、２枚の場合もあるが、１枚の床付き布枠に組み込まれる主材が１枚の場合と２枚の場合では、次のとおり、断面コの字形の梁材および掴み金具の取り付け方が異なる。
【００１５】
１枚の床付き布枠に組み込まれる主材が１枚の場合には、断面コの字形の梁材は１枚の長尺の主材の両端部それぞれ１個嵌合されて取り付けられ、そして、掴み金具は１枚の長尺の主材の両端部の四隅にリベット等で固定されて取り付けられる。
【００１６】
これに対して、１枚の床付き布枠に組み込まれる主材が２枚以上の場合には、複数枚の主材を水平方向に平行に配設した後の複数枚を合わせた長尺の主材の両端部にそれぞれ１個嵌合されて取り付けられる。そして、掴み金具は、複数本の主材を水平方向に平行に配設した後の複数枚を合わせた長尺の主材の両端部の四隅にリベット等で固定されて取り付けられる。
【００１７】
すなわち、梁材の個数は、１枚の床付き布枠に組み込まれる主材が１枚の場合も２枚以上の場合も、１枚の床付き布枠には合計２個が取り付けられることになる。また、掴み金具の個数は、１枚の床付き布枠に組み込まれる主材が１枚の場合も２枚以上の場合も、１枚の床付き布枠には合計４個が取り付けられることになる。
【００１８】
図４は、従来技術に係る床付き布枠の一例であり、(a)は組立図、(b)は完成図を、それぞれ示す。
【００１９】
この床付き布枠には、２枚の主材が組み込まれている。床付き布枠の主材３０は、上面に長尺の床材部３１とその両縁側面に一体化されて形成される長尺の布材部３２ａ、３２ｂからなり、さらに、両縁側面の下面の内側には長尺のリップ３３が長尺の布材部３２ａ、３２ｂと一体化されて設けられている。
【００２０】
このような主材３０の２本が、少し間隔を開けて、水平方向に平行に配設され、２本の主材３０の床材部３１の両端部に断面コの字形の梁材４０が嵌合して取り付けられ、溶接等で接合される。すなわち、断面コの字形の梁材４０は、上側フランジ４１と下側フランジ４２と、両フランジを連結するウエブ４３から構成されており、２本の主材３０の床材部３１の両端部は、上側フランジ４１と下側フランジ４２の間に嵌め込まれることになる。
【００２１】
また、外縁側に位置する２つの布材部３２ａの両端近傍には、掴み金具５０をリベット等で固定するための穴３４が、各々２個穿たれている。そして、外縁側に位置する布材部３２ａの両端部の内側には、断面コの字形の梁材４０の両端部との隙間に、掴み金具５０が挿入され、リベット３５で固定される。
【００２２】
図５は、図４に示す従来技術に係る床付き布枠の端部の拡大図であり、(a)は正面図、(b)は平面図、そして、(c)はＡ−Ａ面における断面図（側面図）を、それぞれ示す。
【００２３】
この床付き布枠の主材は、その剛性を高めるために、床材部３１の中央付近と両縁部近傍に、長尺方向に溝３６が成型され、そして、布材部３２ａ、３２ｂと一体化されて設けられているリップ３３の縁部は内側に屈曲した形に成型され、屈曲部３７を形成している。
【００２４】
上述したとおり、２本の主材は、少し間隔を開けて、水平方向に平行に配設され、その両端部に断面コの字形の梁材４０が嵌合され、そして、主材の床材部３１の上面の端部と梁材の上側フランジ４１の間、及び、主材のリップ３３の下面の端部と梁材の下側フランジ４２の間が、それぞれ、溶接Ｗ１及びＷ２によって接合される。溶接Ｗ１及びＷ２は、線溶接でもよいし、間隔を開けた点溶接でもよい。次いで、外縁側に位置する布材部３２ａの両端部の内側には、断面コの字形の梁材４０の両端部との隙間に掴み金具５０が挿入され、外縁側に位置する布材部３２ａのリベット穴３４と掴み金具のリベット穴５１とが位置合わせされた後、リベット３５で掴み金具５０が固定される。さらに、外縁側に位置する布材部３２ａの端部と掴み金具５０の外側面の間が、溶接Ｗ４によって接合される。溶接Ｗ４は、線溶接でもよいし、間隔を開けた点溶接でもよい。
【００２５】
なお、掴み金具５０はその先端に湾曲部を有しており、足場を構成する建枠の横桟又は腕木材の上にその湾曲部の内側を引っかけることで、床付き布枠を隣接する建枠の横桟又は腕木材の間に取り付けるためのものである。ここでは、掴み金具５０は外れ止め５２を有しており、外れ止め５２を建枠の横桟又は腕木材の下側に突出させることによって掴み金具５０が誤って建枠の横桟又は腕木材から外れないようにすることができる。
【００２６】
次に、このようにして形成された床付き布枠は、前述したとおり、枠組足場の作業床および通路として使用されるのであるが、建枠式足場の場合には隣接する横桟３の間に、そして、緊結式足場の場合には隣接する腕木材２１の間に架け渡される。このとき、枠組足場の作業床および通路の幅、即ち、建枠の横桟の長さ又は腕木材の長さに応じて、床付き布枠を１枚又は２枚以上並べて架け渡すことによって、作業床又は通路が形成される。
【００２７】
なお、床付き布枠の幅は通常、２４０ｍｍ幅と５００ｍｍ幅の２種類が用いられ、それぞれ、小アンチ（小布板ともいう。）及び大アンチ（大布板ともいう。）と呼称される。
【００２８】
図６に、従来技術に係る床付き布枠の２例を示す。(a)が小アンチ２５であり、(b)が大アンチ２６である。いずれも平面図である。(a)の小アンチ２５は２４０ｍｍ幅の主材３０の１枚のみで２４０ｍｍ幅の床付き布枠としたものであり、(b)の大アンチ２６は２４０ｍｍ幅の主材３０を２枚並べて合わせて５００ｍｍ幅の床付き布枠としたものであることが示されている。なお、これらの例では、床付き布枠上を歩行する際に作業員が滑るのを防止するために、床材部３１の上面にはエンボス加工７１が施されている。また、主材３０が幅方向に撓るのを防止するため、主材３０の中央部の下側に桟木７０が設けられている。
【００２９】
そして、建枠の横桟の長さと腕木材の長さは、インチサイズとメーターサイズがあるが、インチサイズを例として挙げると、通常、６１０ｍｍ、９１４ｍｍ及び１２１９ｍｍの３種類のものが揃えられている。
【００３０】
したがって、通常、床付き布枠を枠組足場の作業床および通路として設置する場合、６１０ｍｍ幅を形成するには大アンチ（５００ｍｍ幅）を１枚用いて架け渡すことになり、９１４ｍｍ幅を形成するには大アンチ（５００ｍｍ幅）１枚と小アンチ（２４０ｍｍ幅）１枚を並べて架け渡すことになり、そして、１２１９ｍｍ幅を形成するには大アンチ（５００ｍｍ幅）を２枚並べて架け渡すことになる。
【００３１】
図７に、従来技術に係る床付き布枠１１を隣接する建枠の横桟３の間に架け渡して作業床および通路として設置したときの３例を示す。 (a)が６１０ｍｍ幅の設置例、(b)が９１４ｍｍ幅の設置例、そして、(c)が１２１９ｍｍ幅の設置例である。いずれも、床付き布枠１１を隣接する建枠の横桟３の間に架け渡して設置したときの横桟３の近傍の拡大図（平面図）である。(a)の６１０ｍｍ幅は大アンチ２６（５００ｍｍ幅）１枚から、(b)の９１４ｍｍ幅は大アンチ２６（５００ｍｍ幅）１枚と小アンチ２５（２４０ｍｍ幅）１枚から、そして、(c)の１２１９ｍｍ幅は大アンチ２６（５００ｍｍ幅）２枚から、それぞれ、形成されていることが示されている。なお、これらの例では、床付き布枠上を歩行する際に作業員が滑るのを防止するために、床材部の上面にはエンボス加工７１が施されている。
【００３２】
しかしながら、床付き布枠の両端部の掴み金具を建枠の横桟又は腕木材に取り付けることによって、隣接する建枠の横桟又は腕木材の間に床付き布枠を架け渡すと、床付き布枠の両縁側及び両端には隙間が生じることになる。このような隙間があると、作業員が枠組み足場を組立若しくは解体する作業中に又は枠組み足場内を移動中に、枠組み足場の隙間から工具や建築資材等を落下させたりするおそれがある。
【００３３】
このため、床付き布枠の両縁側の隙間については、通常、床付き布枠の道路側には、あるいはさらに建物側に、巾木（図示せず）を設置することによって、その隙間を塞ぐことがなされている。
【００３４】
次に、床付き布枠の両端の隙間について説明する。床付き布枠の両端の隙間は、建枠の横桟又は腕木材を介して隣接する床付き布枠の間に形成される。
【００３５】
図８は、隣接する建枠の横桟３に従来技術に係る床付き布枠１１を架け渡す際に床付き布枠の両端に生じる隙間７２を示す一例（平面図）である。ここでは、床付き布枠の梁材４０と横桟３との間に、２５ｍｍという大きな隙間７２が生じている。したがって、枠組み足場の隙間から工具や建築資材等が落下するおそれがある。
【００３６】
この隙間対策として、床付き布枠の両端の隙間を少なくしたり、なくしたりすることが、考えられる。
【００３７】
床付き布枠の両端の隙間を少なくするためには、床付き布枠の端面を床付き布枠の長手方向の外側に延長すればよい。床付き布枠自体の長手方向の長さを従来よりも長くするだけでも、床付き布枠の端面を外側に延長することができる。そのためには、床付き布枠の主材を構成する布材部と床材部の長手方向の長さを従来よりも長くするか、又は布枠の両端部に設けられる梁材の幅を従来よりも広くすればよい。また、建枠の横桟又は腕木材が通常は円管形状であることを考慮すると、床付き布枠の両端部に設けられる梁材の上側フランジを布枠端面の外側に延長した形状として、ひさし部を形成すればよい。あるいは、断面コの字状の梁材の外側に梁材と平行にひさし部材を接合することによって、ひさし部を形成してもよい。特許文献１には、掴み金具は主材の布材部の両端に取り付けられたままであるが、床付き布枠の両端部に設けられる梁材の上側フランジを布枠端面の外側に延長させた形状とすることによって、この隙間を少なくする手法が開示されている。
【００３８】
図９は、床付き布枠の梁材の上側フランジを外側に延長し、ひさし部を形成することによって、床付き布枠の両端の隙間を少なくした一例（平面図）である。ここでは、ひさし部があるために、床付き布枠の梁材４０と横桟３との間の隙間７２はほとんどなくなっている。
【００３９】
図１０は、床付き布枠の梁材の上側フランジをさらに外側に延長することによって、床付き布枠の両端の隙間を少なくした他の例（平面図）である。これは、特許文献１に示された床付き布枠であって、床付き布枠１１の両端部の梁材４０の上側フランジを布枠端面の外側に延長する形で突出させて突出部４４が形成され、そして、掴み金具５０は主材の布材部３２ａ、３２ｂの両端に取り付けられている。掴み金具５０は建枠の横桟３又は腕木材２１を確実に掴んでいるので、床付き布枠１１は隣接する建枠の横桟３又は腕木材２１の間に架設することができる。また、床付き布枠１１の両端の隙間７２はほとんどなくなっている。
【００４０】
図１１に、床付き布枠の両端部の梁材の上側フランジを主材の長手方向の外側に延長する形で突出させて、ひさし部を形成したときの断面形状の一例を示す。
【００４１】
この床付き布枠は、床材部３１の端面に上側フランジ４１と下側フランジ４２とウェブ４３から形成される梁材４０を嵌合させて取り付けたものであるが、上側フランジ４１は梁材の幅方向の外側に延長する形で突出させることで、ひさし部を形成している。
【００４２】
次に、図１２に、梁材の外側に梁材と平行にひさし部材を接合することによって、ひさし部を形成したときの断面形状の一例を示す。
【００４３】
この床付き布枠は、上側フランジ４１と下側フランジ４２とウェブ４３から形成される断面コの字形状の梁材４０の外側に梁材と平行に、平板の突出部材（ひさし部材）６０を線溶接により接合することによって、ひさし部を形成している。なお、この突出部材（ひさし部材）６０は、リブ６３により補強されている。
【００４４】
さらに、主材の布材部の両端に取り付けられる掴み金具を不要にすることによって、床付き布枠の両端の隙間を完全になくすことが、特許文献２及び３で提案されている。ここでは、床付き布枠の両端部に設けられる梁材の全体を布枠端面の外側に延長させるとともに外向きに凹凸形状の切欠き部又は凹部を設け、梁材に掴み金具の機能を持たせることによって主材の布材部の両端に取り付けられる掴み金具を不要にするとともに、建枠の横桟又は腕木材を介して隣接する床付き布枠の端部に設けられた梁材に外向きに設けられた凹凸形状の切欠き部又は凹部と互いに嵌合させることで、この隙間をなくす手法が開示されている。
【００４５】
次に、枠組足場においては、作業員が枠組み足場を組立若しくは解体する作業をするために又は枠組み足場内を移動するために、階段を枠組足場に組み込むことがある。この場合、上段の足場における床付き布枠の１枚又は２枚を取り外して、あるいはさらに下段の足場における床付き布枠の１枚又は２枚を取り外して、上下の足場を構成する建枠の横桟又は腕木材の間に、両端部に掴み金具が取り付けられた階段部材を斜めに架け渡すことによって、枠組足場に階段を組み入れることができる。あるいは、掴み金具は階段部材の上端部のみに取り付けられていて、これを上段の足場を構成する建枠の横桟又は腕木材に掴ませるが、下端部は床付き布枠の上に載置又は固定するタイプの階段部材を用いて、階段部材を斜めに組み込むことができる。階段部材を枠組足場に組み込んでなる枠組足場は、たとえば特許文献４に開示されている。
【００４６】
【特許文献１】特開２００１−３１１３０４号公報
【特許文献２】特開２００５−６８９３４号公報
【特許文献３】特開平９−１３６６０号公報
【特許文献４】特開平１１−３６５７２号公報
【発明の開示】
【発明が解決しようとする課題】
【００４７】
上述したように、床付き布枠の両縁側の隙間については、通常、床付き布枠の道路側に、あるいはさらに建物側に、巾木（図示せず）を設置することによって、その隙間を塞ぐことができる。
【００４８】
そして、床付き布枠の両端の隙間については、床付き布枠の両端部の端面を外側に延長することによって、建枠の横桟又は腕木材との間の隙間および対向する床付き布枠との間の隙間を少なくしたり、なくしたりすることが、上記の特許文献１〜３において開示されている。
【００４９】
ところで、階段を枠組足場に組み込む場合には、上段の足場における床付き布枠の１枚又は２枚を取り外して、あるいはさらに下段の足場における床付き布枠の１枚又は２枚を取り外して、上下の足場を構成する建枠の横桟又は腕木材の間に、両端部に掴み金具が取り付けられたタイプの階段部材を斜めに架け渡すことになる。あるいは、掴み金具は階段部材の上端部のみに取り付けられていて、これを上段の足場を構成する建枠の横桟又は腕木材に掴ませるが、下端部は床付き布枠の上に載置又は固定するタイプの階段部材を用いて、階段部材を斜めに組み込むことになる。
【００５０】
図１３は、枠組足場に組み込むことができる階段部材の一例である。(a)が正面図、(b)が右側面図、そして、(c)が(a)の円で示した部分の拡大図である。
【００５１】
この階段部材７５は、上下の両端部に掴み金具が取り付けられたタイプであって、上下の足場を構成する建枠の横桟又は腕木材（図示せず）の間に斜めに架け渡されることによって、枠組足場に組み込まれる。一対の桁材８０と、桁材の間に設けられたステップ８１と、桁材８０の上端部に設けられた一対の掴み金具５０と、桁材８０の下端部に設けられた一対の掴み金具５０を有しており、上端部の掴み金具５０を上段の建枠の横桟に掴ませ、そして、下端部の掴み金具５０を下段の建枠の横桟に掴ませることができるようになっている。
【００５２】
なお、階段部材を構成する桁材８０の両端に取り付けられる掴み金具５０は、桁材８０の両端部にリベット３５で接合されており、床付き布枠に用いる掴み金具と同じものを用いることができるが、別の形状としてもよい。この掴み金具５０は、湾曲した開口部５３を有しており、建枠の横桟又は腕木材の上にその湾曲した開口部５３の内側を引っかけることで、階段部材を上下段の横桟又は腕木材の間に斜めに取り付けることができる。ここでは、掴み金具５０は落下錠５２を有しており、落下錠５２を建枠の横桟又は腕木材の下側に突出させることによって掴み金具５０が誤って建枠の横桟又は腕木材から外れないようにすることができる。
【００５３】
図１４は、枠組足場に組み込むことができる階段部材の他の例である。(a)が正面図、(b)が右側面図、そして、(c)が(a)の円で示した部分の拡大図である。
【００５４】
この階段部材７５は、掴み金具５０が上端部のみに取り付けられていて、下端部は床付き布枠１１の上に載置するタイプである。この階段部材は、一対の桁材８０と、桁材８０の間に設けられたステップ８１と、桁材８０の上端部に設けられた一対の掴み金具５０と、桁材８０の下端部に設けられた据え置き材８２からなり、上端部の掴み金具５０を上段の足場を構成する建枠の横桟又は腕木材に掴ませ、そして、下端部の据え置き材８２を下段の床付き布枠１１の上に載置することによって、枠組足場に組み込まれる。なお、据え置き材を下段の床付き布枠の上に載置する場合、ボルトナット等で下段の床付き布枠の上に固定してもよい。
【００５５】
ここで、この上端部の掴み金具５０も、桁材８０の上端部にリベット３５で接合されており、床付き布枠に用いる掴み金具と同じものを用いることができるが、別の形状としてもよい。この上端部の掴み金具５０も、湾曲した開口部５３を有しており、建枠の横桟又は腕木材の上にその湾曲した開口部５３の内側を引っかけることができる。掴み金具５０は落下錠５２を有しており、落下錠５２を建枠の横桟又は腕木材の下側に突出させることによって掴み金具５０が誤って建枠の横桟又は腕木材から外れないようにすることができる。なお、下端部の据え置き材８２は、桁材８０の下端部にリベット３５で接合されている。
【００５６】
これらの階段部材を枠組足場に組み込むとき、階段部材の掴み金具が対向する床付き布枠の端面を回避できて、はじめて建枠の横桟又は腕木材に掴ませることができ、もって階段部材を組み入れることができる。また、階段部材を枠組足場から取り外す場合には、掴み金具に付属する落下錠を解除しながら、階段部材の全体を斜め上に持ち上げることになるが、このときも、階段部材の掴み金具が対向する床付き布枠の端面を回避できて、はじめて階段部材の全体を斜め上に持ち上げることができ、もって階段部材を取り外すことができる。
【００５７】
したがって、図８に示すような、床付き布枠の梁材４０と横桟３との間に大きな隙間７２が形成される床付き布枠１１が組み込まれている場合には、階段部材の掴み金具を建枠の横桟又は腕木材に掴ませることができるだけの十分なスペースが存在するから、階段部材の掴み金具は対向する床付き布枠の端面に干渉しない。その結果、このような大きな隙間７２が形成される床付き布枠が組み込まれている枠組足場においては、以下に示すとおり、階段部材は道路側と建物側のいずれにも設置することができるし、階段部材を組み入れたり取り外したりすること自体にも問題は発生しない。
【００５８】
図１５に、床付き布枠の端面と建枠の横桟との間に大きな隙間のある枠組足場に階段部材を組み込んだときの２例（平面図）を示す。作業床および通路の幅は９１４ｍｍ幅であり、したがって、床付き布枠１１は、大アンチ２６（５００ｍｍ幅）と小アンチ２５（２４０ｍｍ幅）の各１枚が水平方向に平行に並べられて、隣接する建枠の横桟３の間に架け渡されている。そして、この場合、図１５(a)及び(b)に示すとおり、階段部材７５は道路側と建物側のいずれにも組み込むことができる。ここでは、階段部材７５の上端部の掴み金具５０は上段の足場の横桟３を掴んでいるのに対して、階段部材７５の下端部の掴み金具５０は下段の足場の横桟（図示せず）を掴んでいる。
【００５９】
図１６は、床付き布枠の梁材と横桟との間に隙間のある床付き布枠が組み込まれている枠組足場に、図１３に示す階段部材を組み込んだときの階段部材の両端部の掴み金具の状態の一例を示す正面図である。
【００６０】
この階段部材７５は、その上端部においてその掴み金具５０ａを上段の足場の建枠の横桟３ａに掴ませ、そして、下端部においてその掴み金具５０ｂを下段の建枠の横桟３ｄに掴ませている。ここでは、階段部材の直上と直下には床付き布枠は設置されていない。
【００６１】
したがって、階段部材の上端部が架け渡される横桟３ａには、階段部材の掴み金具５０ａに加えて、上段の足場の床付き布枠１１ａの右端部の掴み金具５０ｃを掴ませることになる。また、階段部材の下端部が架け渡される横桟３ｄには、階段部材の掴み金具５０ｂに加えて、下段の足場の床付き布枠１１ｅの左端部の掴み金具５０ｇを掴ませることになる。なお、階段部材の端部が架け渡されない上段の足場の横桟３ｂには、上段の足場の床付き布枠１１ｂの左端部の掴み金具５０ｃを掴ませることになる。また、階段部材の端部が架け渡されない下段の足場の横桟３ｃには、下段の足場の床付き布枠１１ｃの右端部の掴み金具５０ｄを掴ませることになる。
【００６２】
図１７は、床付き布枠の梁材と横桟との間に隙間のある床付き布枠が組み込まれている枠組足場に、図１３に示す階段部材を組み込んだときの階段部材の両端部の掴み金具の状態の他の例を示す正面図である。
【００６３】
この階段部材７５は、その上端部においてその掴み金具５０ａを上段の足場の建枠の横桟３ａに掴ませ、そして、下端部においてその掴み金具５０ｂを下段の建枠の横桟３ｄに掴ませている。上段の足場では作業員が階段を上下できるように階段部材の直上には床付き布枠は設置されていないのに対して、下段の足場では作業員の転落防止のため階段部材の直下には床付き布枠１１ｄが設置されている。
【００６４】
そして、階段部材の上端部が架け渡される横桟３ａには、階段部材の掴み金具５０ａに加えて、上段の足場の床付き布枠１１ａの右端部の掴み金具５０ｃを掴ませることになる。また、階段部材の下端部が架け渡される横桟３ｄには、階段部材の掴み金具５０ｂに加えて、下段の足場の床付き布枠１１ｄの右端部の掴み金具５０ｆと、下段の足場の床付き布枠１１ｅの左端部の掴み金具５０ｇを掴ませることになる。なお、階段部材の端部が架け渡されない上段の足場の横桟３ｂには、上段の足場の床付き布枠１１ｂの左端部の掴み金具５０ｃを掴ませることになる。また、階段部材の端部が架け渡されない下段の足場の横桟３ｃには、下段の足場の床付き布枠１１ｃの右端部の掴み金具５０ｄと、下段の足場の床付き布枠１１ｄの左端部の掴み金具５０ｅを、掴ませることになる。
【００６５】
次に、床付き布枠が組み込まれている枠組足場の横桟に、掴み金具が取り付けられた階段部材を斜めに架け渡す際に、掴み金具を用いて階段部材を組み入れたり取り外したりする手順を、まず階段部材の上端部のつかみ金具について、説明する。
【００６６】
図１８は、図１６又は図１７のＡ−Ａ矢視図（平面図）であって、図１３に示す階段部材を組み込んだときの上部足場の横桟近傍の掴み金具および隙間の状態を示す。
【００６７】
床付き布枠１１ａは、大アンチ２６（５００ｍｍ幅）の１枚が２個の掴み金具５０ｂによって建枠の横桟３ａに架け渡されている。さらに、この横桟３ａには階段部材が２個の掴み金具５０ａによって建枠の横桟３ａに架け渡されている。
【００６８】
図１９は、図１６又は図１７の円Ｂで示される部分の一部拡大図（正面図）であり、図１３に示す階段部材を組み込むときの階段部材の上端における掴み金具と床付き布枠の端面の位置関係を示す一部拡大図（正面図）である。(a)は床付き布枠と階段部材の両方の掴み金具を図示したものであり、そして、(b)は掴み金具のうち、床付き布枠の掴み金具は図示せず、階段部材の掴み金具のみを図示したものである。
【００６９】
上段の足場を構成する建枠の横桟３ａに、床付き布枠１１ａの掴み金具５０ｃを掴ませた後に、階段部材を右方ないし上方から移動させて、階段部材の掴み金具５０ａを建枠の横桟３ａに掴ませる。上段の足場の床付き布枠１１ａの右端部と、階段部材の掴み金具５０ａの間には大きな隙間が開いているので、階段部材の上端部の掴み金具５０は、建枠の横桟３ａを容易に掴むことができる。また、階段部材を取り外すときは、掴み金具５０ａに付属する落下錠５２を解除し、次いで階段部材を右方ないし上方へ移動させることになる。建枠の横桟３ａの右方ないし上方には、床付き布枠は設置されていないから、掴み金具５０ａを右方又は右上方へ容易に移動させることができる。
【００７０】
そして、階段部材の下端部のつかみ金具について、床付き布枠が組み込まれている枠組足場の横桟に階段部材を組み入れたり取り外したりする手順を、説明する。
【００７１】
図２０は、図１６の円Ｃで示される部分の一部拡大図であり、図１３に示す階段部材を組み込むとき及び取り外すときの階段部材の下端における掴み金具と床付き布枠の端面の位置関係を示す一部拡大図（正面図）である。(a)がこの階段部材の掴み金具を組み込むとき、(b)がこの階段部材を組み込んであるとき、そして、(c)がこの階段部材を取り外すときを示す。なお、掴み金具のうち、床付き布枠の掴み金具は図示せず、階段部材の掴み金具のみを図示した。
【００７２】
この階段部材の下端部が架け渡される下段の足場の建枠の横桟３ｄには、階段部材の掴み金具５０ｂに加えて、下段の足場の床付き布枠１１ｅの左端部に取り付けられる掴み金具５０ｇ（図示せず）が掴んでいる。
【００７３】
図２０(a)にみるごとく、階段部材の掴み金具５０ｂは右上方又は上方から移動してきて、横桟３ｄを斜めに掴むことになる。下段の足場の床付き布枠１１ｅの左端面と横桟３ｄの間は、２０ｍｍ以上の隙間が空いているので、階段部材の掴み金具５０ｂと下段の足場の右側の床付き布枠１１ｅとは干渉することはない。また、図示しなかったが、階段部材の掴み金具５０ｂと下段の足場の右側の床付き布枠１１ｅの掴み金具５０ｇとも干渉することはない。したがって、図２０(b)にみるごとく、階段部材の下端部の掴み金具５０ｂは下段の足場の横桟３ｄに掴ませることができる。
【００７４】
次に、図２０(c)にみるごとく、この階段部材の下端部の掴み金具５０ｂを横桟３ｄから取り外すためには、まず掴み金具５０ｂに付属する落下錠５２を解除して、階段部材の下端部を右上方又は上方に持ち上げる。このとき、掴み金具５０ｂを横桟３ｄから完全に外す必要があるが、床付き布枠の端面と横桟３ａとの間には２０ｍｍ以上の隙間があるから、階段部材の掴み金具５０ｂと下段の足場の右側の床付き布枠１１ｅとは干渉することはない。また、図示しなかったが、階段部材の掴み金具５０ｂと下段の足場の右側の床付き布枠１１ｅの掴み金具５０ｇとも干渉することはない。したがって、階段部材の全体を右上方又は上方に持ち上げることができる。
【００７５】
図２１は、図１７の円Ｃで示される部分の一部拡大図であり、図１３に示す階段部材を組み込むとき及び取り外すときの階段部材の下端における掴み金具と床付き布枠の端面の位置関係を示す一部拡大図（正面図）である。(a)がこの階段部材の掴み金具を組み込むとき、(b)がこの階段部材を組み込んであるとき、そして、(c)がこの階段部材を取り外すときを示す。なお、掴み金具のうち、床付き布枠の掴み金具は図示せず、階段部材の掴み金具のみを図示した。
【００７６】
この階段部材の下端部が架け渡される下段の足場の建枠の横桟３ｄには、階段部材の掴み金具５０ｂに加えて、下段の足場の床付き布枠１１ｄの右端部に取り付けられる掴み金具５０ｆ（図示せず）と、下段の足場の床付き布枠１１ｅの左端部に取り付けられる掴み金具５０ｇ（図示せず）が掴んでいる。
【００７７】
図２１(a)にみるごとく、階段部材の掴み金具５０ｂは右上方又は上方から移動してきて、横桟３ｄを斜めに掴むことになる。下段の足場の床付き布枠１１ｄの右端面と横桟３ｄの間、及び、下段の足場の床付き布枠１１ｅの左端面と横桟３ｄの間は、それぞれ、２０ｍｍ以上の隙間が空いているので、階段部材の掴み金具５０ｂと下段の足場の左右の床付き布枠１１ｄ、１１ｅとは干渉することはない。また、図示しなかったが、階段部材の掴み金具５０ｂと下段の足場の左右の床付き布枠１１ｄ、１１ｅの掴み金具５０ｆ、５０ｇとも干渉することはない。したがって、図２１(b)にみるごとく、階段部材の下端部の掴み金具５０ｂは下段の足場の横桟３ｄに掴ませることができる。
【００７８】
次に、図２１(c)にみるごとく、この階段部材の下端部の掴み金具５０ｂを横桟３ｄから取り外すためには、まず掴み金具５０ｂに付属する落下錠５２を解除して、階段部材の下端部を右上方又は上方に持ち上げる。このとき、掴み金具５０ｂを横桟３ｄから完全に外す必要があるが、床付き布枠の端面と横桟３ａとの間には２０ｍｍ以上の隙間があるから、階段部材の掴み金具５０ｂと下段の足場の左右の床付き布枠１１ｄ、１１ｅとは干渉することはない。また、図示しなかったが、階段部材の掴み金具５０ｂと下段の足場の左右の床付き布枠１１ｄ、１１ｅの掴み金具５０ｆ、５０ｇとも干渉することはない。したがって、階段部材の全体を斜め上に持ち上げることができる。
【００７９】
このように、床付き布枠の梁材と横桟との間には、２０ｍｍ以上の隙間が開いているので、上下の両端部に掴み金具が取り付けられたタイプと、掴み金具が上端部のみに取り付けられていて下端部は床付き布枠１１の上に載置するタイプとを問わず、掴み金具が取り付けられた階段部材を、床付き布枠が組み込まれている枠組足場の横桟の間に、斜めに架け渡すことに困難はなく、このような床付き布枠が組み込まれている枠組足場に階段部材を組み入れたり取り外したりすることに何ら問題はない。なお、掴み金具が上端部のみに取り付けられていて下端部は床付き布枠の上に載置又は固定するタイプの階段部材においては、階段部材の下端部における床付き布枠の端面との干渉の問題はそもそも発生しない。
【００８０】
しかしながら、２０ｍｍ以上の隙間が開いているので、枠組み足場の隙間から工具や建築資材等が落下したりするおそれがある。枠組み足場の隙間から工具や建築資材等が落下することを防止するために、図９〜図１２に示すように、床付き布枠の両端部にひさし部を形成することによって、この隙間をなくそうとすると、階段部材の両端部の近傍において、以下に示すような問題が出てくる。すなわち、階段部材の設置場所を自由に選択することができないという問題や、階段部材を組み入れたり取り外したりすることができないという問題が発生する。
【００８１】
図２２は、図９に示された床付き布枠を隣接する建枠の横桟の間に架け渡したところに、図１３に示す階段部材を設置する２例の部分平面図である。梁材の上側フランジを外側に延長させることで突出した形状にすることによって布枠端面間の隙間を少なくしてなる、床付き布枠の大アンチ２６（５００ｍｍ幅）と小アンチ２５（２４０ｍｍ幅）の各１枚が水平方向に平行に並べられて、隣接する建枠の横桟３の間に架け渡されたところに階段部材７５が設置される。
【００８２】
ところが、階段部材７５は、図２２(a)の場合には取り付けることができるが、図２２(b)の場合には階段部材７５の掴み金具５０の先端が対向する床付き布枠の梁材４０にぶつかるから、階段部材７５を取り付けることができない。すなわち、階段部材を設置しようとしても、階段部材の設置場所は組み立てられた枠組足場の構造によって道路側又は建物側のいずれかに固定されている。したがって、道路側と建物側のうちから自由に設置場所を選択することはできない。
【００８３】
図２３は、図９に示された床付き布枠を隣接する建枠の横桟の間に架け渡したところに、図１３に示す階段部材を設置する他の２例の部分平面図である。梁材の上側フランジを外側に延長させることで突出した形状にすることによって布枠端面間の隙間を少なくしてなる、床付き布枠の大アンチ２６（５００ｍｍ幅）の２枚が水平方向に平行に並べられて、隣接する建枠の横桟３の間に架け渡されたところに階段部材７５が設置される。
【００８４】
ところが、階段部材７５は、図２３(a)の場合には取り付けることができるが、図２３(b)の場合には階段部材７５の掴み金具５０の先端が対向する床付き布枠の梁材４０にぶつかるから、階段部材７５を取り付けることができない。すなわち、階段を道路側又は建物側のいずれにも組み込むことができるが、中央部に組み込むことができない。
【００８５】
これらの階段の設置場所の問題は、特許文献１に示された床付き布枠を隣接する建枠の横桟の間に架け渡したところに階段部材を設置する場合にも同様に生じる。階段部材の設置場所は固定されており、自由に選択することはできないからである。
【００８６】
そして、床付き布枠の両端の隙間を完全になくした場合には、階段部材の掴み金具を取り付けるべき建枠の横桟が完全に隠れてしまうために、掴み金具を用いて階段部材を組み入れることは不可能となる。すなわち、特許文献２及び３に示された、床付き布枠の両端部に設けられる梁材の全体を布枠端面の外側に延長させるとともに外向きに凹凸形状の切欠き部又は凹部を設けてなる床付き布枠は、そもそも階段部材を取り付けることができない。
【００８７】
図２４は、図１１に示された断面を有する、ひさし部付きの床付き布枠を隣接する建枠の横桟の間に架け渡したところに、図１３又は図１４に示す階段部材を組み込もうとしたときの階段部材の上端部の掴み金具との干渉の状態の一例を示す一部拡大図（正面図）である。(a)は床付き布枠と階段部材の両方の掴み金具を図示したものであり、そして、(b)は掴み金具のうち、床付き布枠の掴み金具は図示せず、階段部材の掴み金具のみを図示したものである。
【００８８】
この階段部材は、その上端部においてその掴み金具５０ａを上段の足場の建枠の横桟３ａに掴ませている。ここでは、階段部材の直上には床付き布枠は設置されていない。
【００８９】
上段の足場の床付き布枠１１ａは、その梁材の上側フランジ４１を延長させて、突出部（ひさし部）４４が形成されている。しかしながら、上段の足場を構成する建枠の横桟３ａに、床付き布枠１１ａの掴み金具５０ｃを掴ませた後に、上段の足場を構成する建枠の横桟３ａに、階段部材を右方ないし上方から移動させて、階段部材の掴み金具５０ａを建枠の横桟３ａに掴ませようとすると、図２４(b)の楕円で示すように、階段部材の上端部に取り付けられた掴み金具５０ａが、この突出部（ひさし部）４４にぶつかるために、建枠の横桟３を掴むことができない。
【００９０】
図２５は、図９に示された床付き布枠を隣接する建枠の横桟の間に架け渡したところに、図１３に示す階段部材を組み込もうとしたときの階段部材の下端部の掴み金具との干渉の状態の一例を示す一部拡大図（正面図）である。(a)がこの階段部材の掴み金具を組み込もうとしたとき、(b)がこの階段部材を組み込んであるとき、そして、(c)がこの階段部材を取り外そうとしたときを示す。なお、階段部材の掴み金具は図示したが、床付き布枠の掴み金具は図示しなかった。
【００９１】
この階段部材の下端部が架け渡される下段の足場の建枠の横桟３ｄには、階段部材の掴み金具５０ｂに加えて、下段の足場の床付き布枠１１ｅの左端部に取り付けられる掴み金具５０ｇ（図示せず）が掴んでいる。ここでは、階段部材の直下には床付き布枠は設置されていない。
【００９２】
図２５(a)にみるごとく、階段部材の掴み金具５０ｂは右上方又は上方から移動してきて、横桟３ｄを斜めに掴もうとする。しかしながら、下段の足場の床付き布枠１１ｅの左端面には突出部（ひさし部）４４が存在するため、階段部材の下端部の掴み金具５０ｂはこの突出部（ひさし部）４４にぶつかって、建枠の横桟３を掴むことができない。
【００９３】
また、図２５(b)にみるごとく、階段部材の下端部の掴み金具５０ｂは、下段の足場の床付き布枠１１ｅの左端面に存在する突出部（ひさし部）４４にぶつかっている。したがって、この階段部材の掴み金具５０ｂを組み込んである状態のときには、階段部材の下端部の掴み金具５０ｂはこの突出部（ひさし部）４４に干渉している。
【００９４】
次に、図２５(c)にみるごとく、階段部材を枠組足場から取り外すために、階段部材を右上方又は上方に持ち上げようとすると、階段部材の下端部の掴み金具５０の先端が、下段の足場の床付き布枠１１ｅの左端面の突出部（ひさし部）を回避できないために、階段部材を右上方又は上方に持ち上げることができない。
【００９５】
図２６は、図９に示された床付き布枠を隣接する建枠の横桟の間に架け渡したところに、図１３に示す階段部材を組み込もうとしたときの階段部材の下端部の掴み金具との干渉の状態の他の例を示す一部拡大図（正面図）である。(a)がこの階段部材の掴み金具を組み込もうとしたとき、(b)がこの階段部材を組み込んであるとき、そして、(c)がこの階段部材を取り外そうとしたときを示す。なお、階段部材の掴み金具は図示したが、床付き布枠の掴み金具は図示しなかった。
【００９６】
この階段部材の下端部が架け渡される下段の足場の建枠の横桟３ｄには、階段部材の掴み金具５０ｂに加えて、下段の足場の床付き布枠１１ｄの右端部に取り付けられる掴み金具５０ｆ（図示せず）と、下段の足場の床付き布枠１１ｅの左端部に取り付けられる掴み金具５０ｇ（図示せず）が掴んでいる。ここでは、階段部材の直下には床付き布枠が設置されている。
【００９７】
図２６(a)にみるごとく、階段部材の掴み金具５０ｂは右上方又は上方から移動してきて、横桟３ｄを斜めに掴もうとする。しかしながら、下段の足場の床付き布枠１１ｅの左端面には突出部（ひさし部）４４が存在するため、階段部材の下端部の掴み金具５０ｂはこの突出部（ひさし部）４４にぶつかって、建枠の横桟３を掴むことができない。
【００９８】
また、図２６(b)にみるごとく、階段部材の下端部の掴み金具５０ｂは、下段の足場の床付き布枠１１ｅの左端面に存在する突出部（ひさし部）４４にぶつかっている。また、下段の足場の床付き布枠１１ｄの右端面に存在する突出部（ひさし部）４４にぶつかっている。したがって、この階段部材の掴み金具５０ｂを組み込んである状態のときには、階段部材の下端部の掴み金具５０ｂはこの突出部（ひさし部）４４に干渉している。
【００９９】
次に、図２６(c)にみるごとく、階段部材を枠組足場から取り外すために、階段部材を右上方又は上方に持ち上げようとすると、階段部材の下端部の掴み金具５０の先端が、下段の足場の床付き布枠１１ｅの左端面の突出部（ひさし部）を回避できないために、階段部材を右上方又は上方に持ち上げることができない。
【０１００】
以上、階段部材を組み入れたり取り外したりすることができないという問題については、図１３に示す階段部材を例にとって説明したが、階段部材の上端の掴み金具に関しては、図１４に示す階段部材も同様の問題がある。
【０１０１】
本発明は、このような問題を解決するためになされたものであって、床付き布枠の両端の隙間を少なくできるとともに、階段部材を建物側と道路側を問わず、どの場所にも組み込むことができ、かつ、階段部材を枠組足場に組み入れるときに階段部材の掴み金具が建枠の横桟又は腕木材を確実に掴むことができ、また、階段部材を枠組足場から取り外すときにために階段部材の掴み金具が下段の足場の床付き布枠の端面を回避できる床付き布枠と、この床付き布枠を組み込んでなる枠組足場を提供することを目的とする。
【課題を解決するための手段】
【０１０２】
本発明者らは、上記目的を解決するために、種々の検討を重ねた結果、次の(a)〜(j)の知見を得た。
【０１０３】
(a) 床付き布枠の両端部の掴み金具を建枠の横桟又は腕木材に取り付けることによって建枠の横桟又は腕木材の間に床付き布枠を架け渡したときに、床付き布枠の端面と横桟又は腕木材との間に、あるいは対向する床付き布枠の端面との間に、隙間が生じると、枠組み足場の隙間から工具や建築資材等が落下したりするおそれがある。ただし、５〜１０ｍｍ程度の隙間にするだけでも、工具や建築資材等が落下するおそれは小さくなる。
【０１０４】
(b) 床付き布枠の両端部の梁材の上側フランジを主材の長手方向の外側に延長する形で突出させるか、又は、梁材の外側に梁材と平行にひさし部材を接合することによって、図９〜図１２に示すように、床付き布枠の両端部にひさし部を形成することによって、床付き布枠の端面と横桟又は腕木材との間の隙間を少なくすることができる。
【０１０５】
(c) しかしながら、このようなひさし部を有する床付き布枠を用いた場合、図２４にみるごとく、上段の足場を構成する建枠の横桟又は腕木材に階段部材の上端部の掴み金具を掴ませようとすると、上下の両端部に掴み金具が取り付けられたタイプと、掴み金具が上端部のみに取り付けられていて下端部は床付き布枠１１の上に載置するタイプとを問わず、階段部材の上端部に取り付けられた掴み金具が、上段の足場の床付き布枠の端面のひさし部にぶつかるために、建枠の横桟又は腕木材を掴むことができない。
【０１０６】
(d) また、このようなひさし部を有する床付き布枠を用いた場合、図２５〜２６にみるごとく、上下の両端部に掴み金具が取り付けられたタイプにおいては、下段の足場を構成する建枠の横桟又は腕木材に階段部材の下端部の掴み金具を掴ませようとして、階段部材の下端部を右方ないし上方に移動させようとすると、階段部材の下端部に取り付けられた掴み金具が、下段の足場の床付き布枠の端面のひさし部にぶつかるために、建枠の横桟又は腕木材を掴むことができない。また、たとえ、階段部材の下端部に取り付けられた掴み金具が、下段の足場の建枠の横桟又は腕木材を掴むことができたとしても、階段部材を枠組足場から取り外そうとして、階段部材の下端部を右上方又は上方に持ち上げようとすると、下段の足場の床付き布枠の端面のひさし部を回避できないために、階段部材の下端部を右上方又は上方に持ち上げることができない。
【０１０７】
(e) ところが、図２４をよくみてみると、階段部材の上端部の掴み金具５０ａが床付き布枠の端面のひさし部４４にぶつかるのは、対向する床付き布枠１１ａの両端部の梁材のひさし部４４のレベルが横桟３ａの上面レベルと同じであるので、階段部材の掴み金具５０ａが干渉するためであることが分かる。したがって、ひさし部４４のレベルを横桟３ａの上面レベルよりも高くして、ひさし部４４の下に掴み金具を受容させることができるだけのスペースを確保すれば、階段部材の掴み金具５０ａが対向する床付き布枠のひさし部４４にぶつかることを回避することができることに思い至った。言い換えれば、ひさし部４４と横桟３１との間に垂直方向にレベル差を設けることで得られたスペースに、階段部材の掴み金具５０ａを収容すればよい。こうすれば、床付き布枠の端面と横桟又は腕木材との間の隙間を少なくしたままであっても、階段部材の上端部に取り付けられた掴み金具が、上段の足場の床付き布枠の端面のひさし部を回避できるから、建枠の横桟又は腕木材を掴むことができる。なお、階段部材の掴み金具の形状にもよるが、ひさし部のレベルと横桟の上面レベルとの差は、通常１５〜３０ｍｍ程度あればよい。好ましくは２０〜２５ｍｍである。
【０１０８】
したがって、階段部材の上端部を枠組足場に組み込む際に、階段部材の上端部の掴み金具５０ａは、対向する床付き布枠の端面のひさし部又はひさし部材にぶつかることなく、建枠の横桟３ａを容易に掴むことができる。
【０１０９】
また、階段部材の上端部の掴み金具５０ａを横桟３ａから取り外すときは、掴み金具５０ａに付属する落下錠５２を解除し、次いで階段部材を右方ないし上方へ移動させることになる。建枠の横桟３ａの右方及び右上方には、床付き布枠は設置されていないから、掴み金具５０ａを右方ないし上方へ容易に移動させることができる。
【０１１０】
(f) そして、上記(e)の階段部材の上端部の掴み金具５０ａに関して得られた新たな知見は、上下の両端部に掴み金具が取り付けられたタイプの階段部材の下端部の掴み金具５０ｂにも適用できることも分かった。すなわち、ひさし部又はひさし部材のレベルを横桟３ｄの上面レベルよりも高くして、ひさし部又はひさし部材の下に掴み金具を受容させることができるだけのスペースを確保すれば、この階段部材の掴み金具５０ｂを組み込んである状態のときには、階段部材の下端部の掴み金具５０ｂは、下段の足場の床付き布枠１１ｅの左端面に存在する、ひさし部又はひさし部材には干渉しない。なお、階段部材の掴み金具の形状にもよるが、ひさし部のレベルと横桟の上面レベルとの差は、通常１５〜３０ｍｍ程度あればよい。好ましくは２０〜２５ｍｍである。
【０１１１】
ここで、階段部材の直下に床付き布枠が設置されていない場合には、床付き布枠の掴み金具を横桟から外し、床付き布枠の端面を持ち上げた状態で、先に階段部材の下端部の掴み金具を横桟に掴ませ、その後に床付き布枠の端面を降ろして、床付き布枠の掴み金具（図示せず）を横桟に掴ませるという手法を採用することによって、ひさし部又はひさし部材のレベルを横桟３ａの上面レベルよりも高くした床付き布枠の掴み金具を横桟３ａに取り付けることができる。同様にして、階段部材を横桟から取り外すこともできる。
【０１１２】
これに対して、階段部材の直下に床付き布枠が設置されている場合には、この手法を採用することはできない。ただし、階段部材の直下に床付き布枠が設置されている場合には、床付き布枠の梁材と横桟との間に２０ｍｍ以上の隙間が開いていても、工具や建築資材等が落下するおそれは小さい。したがって、階段部材の直下に床付き布枠が設置されている場合には、図８に示す隙間の開いた床付き布枠を用いることができる。
【０１１３】
したがって、掴み金具が上端部のみに取り付けられていて下端部は床付き布枠１１の上に載置するタイプの階段部材はもちろんのこと、上下の両端部に掴み金具が取り付けられたタイプの階段部材であっても、ひさし部又はひさし部材のレベルを横桟の上面レベルよりも高くして、ひさし部又はひさし部材の下に掴み金具を受容させることができるだけのスペースを確保すれば、階段部材の掴み金具が対向する床付き布枠のひさし部又はひさし部材にぶつかることを回避することができる。
【０１１４】
(g) このように、床付き布枠の端面と横桟又は腕木材との間の隙間を少なくすることができるにもかかわらず、階段部材が枠組足場に組み込んである状態のときには、階段部材の掴み金具は、上下段の足場の床付き布枠の端面のひさし部又はひさし部材には干渉していないのであるから、階段部材の設置場所についての制限を受けることはなくなる。階段部材は、道路側と建物側のうちのどちらにも設置できるし、場合によっては中央部に設置することもできるから、自由に設置場所を選択することができる。
【０１１５】
(h) 上記(e)及び(f)において説明したとおり、階段部材の上端部の掴み金具に関しては、本発明により、ひさし部又はひさし部材のレベルを横桟の上面レベルよりも高くして、ひさし部又はひさし部材の下に掴み金具を受容させることができるだけのスペースを確保できれば、容易に階段部材の上端部を枠組足場に組み込むことができるし、取り外すこともできる。
【０１１６】
そして、階段部材の下端部の掴み金具に関しても、階段部材の直下に床付き布枠が設置されていない場合には、本発明により、ひさし部又はひさし部材のレベルを横桟の上面レベルよりも高くして、ひさし部又はひさし部材の下に掴み金具を受容させることができるだけのスペースを確保すれば、この階段部材の掴み金具５０ｂを組み込んである状態のときには、階段部材の下端部の掴み金具５０ｂは、下段の足場の床付き布枠１１ｅの左端面に存在する、ひさし部又はひさし部材には干渉しないので、階段部材の下端部を枠組足場に組み込むことができるし、取り外すこともできる。ただし、階段部材の下端部を枠組足場に組み込んだり、取り外したりしようとすると、床付き布枠の端面を持ち上げた状態で、階段部材の下端部の掴み金具を横桟に掴ませるか又は取り外したりする手法を採用する必要がある。
【０１１７】
(i) この問題を解決して、本発明のさらなる改良を図るべく、種々に検討した結果、階段部材の下端部を枠組足場に組み込んだり、取り外したりしようとする際に、階段部材の下端部の掴み金具が床付き布枠の端面のひさし部又はひさし部材にぶつからないようにするためには、床付き布枠の端面のひさし部又はひさし部材に切欠き部（スリット）を設ければよいことに思い至った。
【０１１８】
このように床付き布枠の端面のひさし部又はひさし部材に切欠き部（スリット）を設ければ、階段部材の直下に床付き布枠が設置されていない場合において、階段部材の下端部を枠組足場に組み込む際に、階段部材の下端部の掴み金具は、対向する床付き布枠の端面のひさし部又はひさし部材にぶつかることなく、建枠の横桟を容易に掴むことができる。なお、切欠き部（スリット）の位置によっては、階段部材の下端部を右上方又は上方から移動させようとすると、階段部材の下端部に取り付けられた掴み金具が下段の足場の床付き布枠の端面のひさし部にぶつかる場合が考えられるが、この場合は階段部材の下端部を左上方から移動させることで、ひさし部又はひさし部材にぶつかることなく、建枠の横桟を容易に掴むことができる。
【０１１９】
また、階段部材の下端部の掴み金具を横桟から取り外すときは、掴み金具に付属する落下錠を解除し、次いで階段部材を左上方ないし右上方へ移動させることになるが、このときも階段部材の下端部の掴み金具は、対向する床付き布枠の端面のひさし部又はひさし部材にぶつかることなく、左上方ないし右上方へ容易に移動させることができる。このように、床付き布枠の端面を持ち上げた状態で、階段部材の下端部の掴み金具を横桟に掴ませるか又は取り外したりする必要はなくなる。
【０１２０】
さらに、このように床付き布枠の端面のひさし部又はひさし部材に切欠き部（スリット）を設ければ、階段部材の上端部を枠組足場に組み込む際に、階段部材の上端部の掴み金具は、右方ないし上方だけでなく、左上方から移動させてもひさし部又はひさし部材にぶつかることなく、建枠の横桟を容易に掴むことができる。また、階段部材の上端部の掴み金具を横桟から取り外すときに、ひさし部又はひさし部材にぶつかることなく、階段部材の上端部を、右方ないし上方だけでなく、左上方へ移動させることもできる。
【０１２１】
なお、ひさし部又はひさし部材に外向きに設けられる切欠き部（スリット）の位置はその中程に設けるのが好ましいが、特に限定するものではなく、ひさし部の端部方向に偏ってもよい。切欠き部（スリット）の数は１個であってもよいが、複数個であってもよい。また、階段部材の下端部の掴み金具が床付き布枠の端面のひさし部又はひさし部材と干渉することなく通り抜けることができればよいのであるから、切欠き部（スリット）の幅は階段部材の掴み金具の最大幅より大きければよい。通常は、１０〜３０ｍｍ、好ましくは、１５〜２５ｍｍである。
【０１２２】
(j) また、上記の(g)において、床付き布枠の端面のひさし部又はひさし部材に切欠き部（スリット）がなくても、階段部材の設置場所についての制限を受けることはなくなるから、階段部材は、道路側と建物側のうちのどちらにも設置できるし、場合によっては中央部に設置することもできるから、自由に設置場所を選択することができるものであるが、階段部材の下端部を枠組足場に組み込んだり、取り外したりしようとすると、床付き布枠の端面を持ち上げた状態で、階段部材の下端部の掴み金具を横桟に掴ませるか又は取り外したりする手法を採用するか、又は、隙間の開いた床付き布枠を用いることを余儀なくされることを説明した。
【０１２３】
これに対して、床付き布枠の端面のひさし部又はひさし部材に切欠き部（スリット）を設けると、階段部材の直下に床付き布枠が設置されていない場合において、階段部材の下端部を枠組足場に組み込んだり、取り外したりしようとする際に、階段部材の下端部の掴み金具は床付き布枠の端面のひさし部又はひさし部材にぶつからないから、床付き布枠の端面を持ち上げた状態で、階段部材の下端部の掴み金具を横桟に掴ませるか又は取り外したりする必要はないし、隙間の開いた床付き布枠を用いることを余儀なくされることもない。
【０１２４】
さらに、掴み金具が横桟を掴んでいるときに、掴み金具を横桟の長さ方向に滑らすことが可能であるから、この切欠き部（スリット）から階段部材の掴み金具を組み入れて横桟を掴ませたりできるし、この切欠き部（スリット）から階段部材の掴み金具を取り外したりすることができる。また、この切欠き部（スリット）から床付き布枠の掴み金具を組み入れて横桟を掴ませたりできるし、この切欠き部（スリット）から小アンチ等の床付き布枠の掴み金具を取り外したりすることができる。
【０１２５】
したがって、床付き布枠の端面のひさし部又はひさし部材に切欠き部（スリット）を設けると、この切欠き部（スリット）を通して、階段部材や床付き布枠等、掴み金具によって横桟に把持される足場部材を自由に組み込むことができる。
【０１２６】
本発明は、このような知見に基づいて完成したものであって、次の(1)〜(5)の床付き布枠及び(6)〜(7)の枠組足場を要旨とする。以下、(1)〜(7)を総称して、本発明ということもある。
【０１２７】
(1) 外向きに平板状のひさし部を設けた梁材を両端に備える床付き布枠であって、そのひさし部の下に掴み金具を受容できるだけのスペースを有することを特徴とする床付き布枠。
【０１２８】
(2) ひさし部は梁材の上側フランジを外側に延長することによって形成されることを特徴とする、上記(1)の床付き布枠。
【０１２９】
(3) ひさし部は、梁材の外側に梁材と平行にひさし部材を接合することによって形成されることを特徴とする、上記(1)又は(2)の床付き布枠。
【０１３０】
(4) ひさし部はリブによって補強されていることを特徴とする、上記(1)〜(3)のいずれかの床付き布枠。
【０１３１】
(5) ひさし部は掴み金具を受容可能な１個又は複数個の切欠き部を外向きに有することを特徴とする、上記(1)〜(4)のいずれかの床付き布枠。
【０１３２】
(6) 上記(1)〜(5)のいずれかの床付き布枠が組み込まれていることを特徴とする枠組足場。
【０１３３】
(7) 上記(6)の枠組足場であって、階段部材が組み込まれていることを特徴とする枠組足場。
【発明の効果】
【０１３４】
本発明によれば、床付き布枠の両端の隙間を少なくできるとともに、階段部材を建物側と道路側を問わず、どの場所にも組み込むことができ、かつ、階段部材を枠組足場に組み入れるときに階段部材の掴み金具が建枠の横桟又は腕木材を確実に掴むことができ、また、階段部材を枠組足場から取り外すときに階段部材の掴み金具が下段の足場の床付き布枠の端面を回避できる床付き布枠と、この床付き布枠を組み込んでなる枠組足場を提供することができる。
【発明を実施するための最良の形態】
【０１３５】
本発明に係る床付き布枠及びこの床付き布枠を組み込んでなる枠組足場を、以下に、図面を用いて説明する。
【実施例１】
【０１３６】
図２７は、本発明に係る床付き布枠の一例であり、(a)は全体平面図、(b)はＣ−Ｃ矢視断面図である。そして、(c)は掴み金具を受容できるスペースを斜線で示したものである。
【０１３７】
この床付き布枠１１は、上側フランジ４１と下側フランジ４２とウェブ４３から形成される断面コの字形状の梁材の外側に梁材と平行に、平板のひさし部材６０を線溶接により接合することによって、ひさし部を形成している。
【０１３８】
ここでは、ひさし部材６０を水平に設けたが、図２８に示したように、ひさし部材６０は傾斜させてもよい。
【０１３９】
また、ここでは、梁材の外側に梁材と平行にひさし部材を接合することによってひさし部を形成したが、図２９にみるごとく、床材部３１の端面に上側フランジ４１と下側フランジ４２とウェブ４３から形成される梁材の上側フランジ４１を梁材の幅方向の外側に延長する形で突出させることで、ひさし部４４を形成してもよい。
【０１４０】
なお、図３０に示すように、このひさし部材６０は単板のリブ６３を垂直に取り付けることにより補強されているが、ひさし部材６０だけで強度が保たれる場合は、リブを省略してもよい。また、リブ６３の形状は特に限定するものではなく、図３１に示す単板折り曲げ型や、図３２に示す一体型であってもよい。
【０１４１】
図３３は、ひさし部のレベルを横桟の上面レベルよりも高く設定した床付き布枠（図２７）を隣接する建枠の横桟の間に架け渡したところに、図１３又は図１４に示す階段部材を組み込んだときの階段部材の上端部の掴み金具の干渉の状況の２例を示す一部拡大図（正面図）である。(a)は床付き布枠と階段部材の両方の掴み金具を図示したものであり、そして、(b)は階段部材の掴み金具は図示したが、床付き布枠の掴み金具を図示しなかった。
【０１４２】
このひさし付きの床付き布枠の端部は、床付き布枠の掴み金具の形状を変更することによって、ひさし部のレベルと横桟の上面レベルとの差を２３ｍｍとしたものである。
【０１４３】
上段の足場を構成する建枠の横桟３ａに、床付き布枠１１ａの掴み金具５０ｃを掴ませた後に、階段部材を右方又は右上方から移動させて、階段部材の掴み金具５０ａを建枠の横桟３ａに掴ませる。上段の足場の床付き布枠１１ａの右端部の突出部材（ひさし部材）６０と横桟３ａとの間には、垂直方向に２３ｍｍのレベル差があるので、突出部材（ひさし部材）６０と横桟３ａとの間のスペースに階段部材の掴み金具５０ａを収容することができる。
【０１４４】
したがって、階段部材の上端部を枠組足場に組み込む際に、階段部材の上端部の掴み金具５０ａは、対向する床付き布枠の端面のひさし部又はひさし部材にぶつかることなく、建枠の横桟３ａを容易に掴むことができる。また、階段部材の上端部の掴み金具５０ａを横桟３ａから取り外すときは、掴み金具５０ａに付属する落下錠５２を解除し、次いで階段部材を右方又は右上方へ移動させることになる。建枠の横桟３ａの右方及び右上方には、床付き布枠は設置されていないから、掴み金具５０ａを右方又は右上方へ容易に移動させることができる。
【０１４５】
このようにして、このひさし付きの床付き布枠を用いると、床付き布枠の両端の隙間を少なくできるとともに、階段部材を枠組足場に組み入れるときに階段部材の上端部の掴み金具が建枠の横桟又は腕木材を確実に掴むことができ、また、階段部材の上端部を枠組足場から取り外すときにも、階段部材の上端部の掴み金具が上段の足場の床付き布枠の端面にぶつかることはないから、階段部材の上端部を枠組足場から取り外すことに何ら支障は生じない。
【０１４６】
図３４は、ひさし部のレベルを横桟の上面レベルよりも高く設定した床付き布枠（図２７）を隣接する建枠の横桟の間に架け渡したところに、図１３に示す階段部材を組み込んだときの階段部材の下端部の掴み金具の干渉の状況の３例を示す一部拡大図（正面図）である。ここでは、階段部材の直下には床付き布枠は設置されていない。(a)がこの階段部材の掴み金具を組み込もうとしたとき、(b)がこの階段部材を組み込んであるとき、そして、(c)がこの階段部材を取り外そうとしたときを示す。なお、階段部材の掴み金具は図示したが、床付き布枠の掴み金具は図示しなかった。
【０１４７】
この階段部材の下端部が架け渡される下段の足場の建枠の横桟３ｄには、階段部材の掴み金具５０ｂに加えて、下段の足場の床付き布枠１１ｅの左端部の掴み金具５０ｇ（図示せず）が掴んでいる。
【０１４８】
このひさし付きの床付き布枠の端部は、床付き布枠の掴み金具の形状を変更することによって、ひさし部のレベルと横桟の上面レベルとの差を２３ｍｍとしたものである。
【０１４９】
図３４(a)にみるごとく、階段部材の掴み金具５０ｂは右上方ないし左上方から移動してきて、横桟３ｄを斜めに掴もうとする。しかしながら、下段の足場の床付き布枠１１ｅの左端面には突出部材（ひさし部材）６０が存在するため、階段部材の下端部の掴み金具５０ｂはこの突出部材（ひさし部材）６０にぶつかって、建枠の横桟３を掴むことができない。
【０１５０】
ただし、図３４(b)においては、階段部材の下端部の掴み金具５０ｂは、下段の足場の床付き布枠１１ｅの左端面に存在する突出部材（ひさし部材）６０にぶつかっていない。したがって、この階段部材の掴み金具５０ｂを組み込んである状態のときには、階段部材の下端部の掴み金具５０ｂは、下段の足場の床付き布枠１１ｅの左端面に存在する突出部材（ひさし部材）６０には干渉していない。
【０１５１】
次に、図３４(c)にみるごとく、階段部材を枠組足場から取り外すために、階段部材を右上方ないし左上方に持ち上げようとすると、階段部材の下端部の掴み金具５０の先端が、下段の足場の床付き布枠１１ｅの左端面の突出部材（ひさし部材）６０を回避できないために、階段部材を右上方ないし左上方に持ち上げることができない。
【０１５２】
このように、下段の足場の床付き布枠１１ｅの掴み金具（図示せず）を横桟３ｄに掴ませた後に、階段部材の下端部の掴み金具５０ｂを横桟３ｄに掴ませようとすると、階段部材の下端部の掴み金具５０ｂは床付き布枠１１ｅの左端面に存在する突出部材（ひさし部材）６０にぶつかってしまうことになる。しかしながら、この階段部材の掴み金具５０ｂを組み込んである状態のときには、階段部材の下端部の掴み金具５０ｂは、下段の足場の床付き布枠１１ｅの左端面に存在する突出部材（ひさし部材）６０には干渉していないのであるから、床付き布枠１１ｅの掴み金具（図示せず）を横桟３ｄから外し、床付き布枠１１ｅの左端面を持ち上げた状態で、先に階段部材の下端部の掴み金具５０ｂを横桟３ｄに掴ませ、その後に床付き布枠１１ｅの左端面を降ろして、床付き布枠１１ｅの掴み金具（図示せず）を横桟３ｄに掴ませることによって、階段部材を組み込むことができる。
【０１５３】
逆に、階段部材を横桟３ｄから取り外すときは、床付き布枠１１ｅの掴み金具（図示せず）を横桟３ｄから外し、床付き布枠１１ｅの左端面を持ち上げて、先に床付き布枠１１ｅの掴み金具（図示せず）を横桟３ｄから外した状態で、階段部材の下端部の掴み金具５０ｂを横桟３ｄから外し、その後に床付き布枠１１ｅの左端面を降ろして、床付き布枠１１ｅの掴み金具（図示せず）を横桟３ｄに掴ませることによって、階段部材を横桟３ｄから取り外すことができる。
【０１５４】
このように、階段部材の直下に床付き布枠は設置されていない場合には、突出部材（ひさし部材）６０のレベルを横桟３ａの上面レベルよりも高くして、突出部材（ひさし部材）６０の下に掴み金具を受容させることができるだけのスペースを確保すれば、階段部材の下端部の掴み金具５０ｂが対向する床付き布枠の突出部材（ひさし部材）６０にぶつかることを回避することができる。
【０１５５】
このようにして、このひさし付きの床付き布枠を用いると、床付き布枠の両端の隙間を少なくできるとともに、上下の両端部に掴み金具が取り付けられたタイプであっても、階段部材を枠組足場に組み入れることができるし、取り外すことができる。
【０１５６】
図３５は、ひさし部のレベルを横桟の上面レベルよりも高く設定した床付き布枠（図２７）を隣接する建枠の横桟の間に架け渡したところに、図１３に示す階段部材を組み込んだときの階段部材の下端部の掴み金具の干渉の状況の他の３例を示す一部拡大図（正面図）である。ここでは、階段部材の直下に床付き布枠は設置されており、この階段部材の直下に床付き布枠だけは、図８に示す隙間の開いた床付き布枠が用いられている。(a)がこの階段部材の掴み金具を組み込もうとしたとき、(b)がこの階段部材を組み込んであるとき、そして、(c)がこの階段部材を取り外そうとしたときを示す。なお、階段部材の掴み金具は図示したが、床付き布枠の掴み金具は図示しなかった。
【０１５７】
この階段部材の下端部が架け渡される下段の足場の建枠の横桟３ｄには、階段部材の掴み金具５０ｂに加えて、下段の足場の床付き布枠１１ｄの右端部に取り付けられる掴み金具５０ｆ（図示せず）と、下段の足場の床付き布枠１１ｅの左端部の掴み金具５０ｇ（図示せず）が掴んでいる。
【０１５８】
下段の足場の床付き布枠１１ｅは、ひさし部のレベルを横桟の上面レベルよりも高く設定した床付き布枠（図２７）であって、床付き布枠の掴み金具の形状を変更することによって、ひさし部のレベルと横桟の上面レベルとの差を２３ｍｍとしたものである。図３４で説明したとおり、このひさし付きの床付き布枠を用いると、床付き布枠の両端の隙間を少なくできるとともに、上下の両端部に掴み金具が取り付けられたタイプであっても、階段部材を枠組足場に組み入れることができるし、取り外すことができる。
【０１５９】
そして、下段の足場の床付き布枠１１ｄは、図８に示す隙間の開いた床付き布枠を上面の梁材の上側フランジ４１のレベルと横桟３ｄの上面レベルとの差がないように設置されており、階段部材の下端部に取り付けられた掴み金具が、下段の足場の床付き布枠の端面にぶつかることはないので、建枠の横桟又は腕木材を掴むことができる。なお、階段部材の直下に床付き布枠が設置されている場合には、作業員が立ち入る場所ではないので、床付き布枠の梁材と横桟との間に、２０ｍｍ以上の隙間が開いていても、工具や建築資材等が落下するおそれは小さい。
【０１６０】
以上のとおりであるから、床付き布枠の両端部の梁材の上側フランジを主材の長手方向の外側に延長する形で突出させるか、又は、梁材の外側に梁材と平行にひさし部材を接合することによって、床付き布枠の両端部にひさし部を形成することによって、床付き布枠の端面と横桟又は腕木材との間の隙間を少なくすることができる。そして、ひさし部又はひさし部材のレベルを横桟の上面レベルよりも高くして、ひさし部又はひさし部材の下に掴み金具を受容させることができるだけのスペースを確保すれば、階段部材の掴み金具が対向する床付き布枠のひさし部又はひさし部材にぶつかることを回避することができる。そして、そのレベル差としては、通常１５〜３０ｍｍ程度あればよく、２０〜２５ｍｍとするのが好ましい。
【０１６１】
そのレベル差を２３ｍｍに設定して検証したところでは、階段部材の上端部の掴み金具に関しては、上段の足場の床付き布枠の端面のひさし部又はひさし部材にぶつかることがないため、建枠の横桟又は腕木材を掴むことができる。そして、上段の足場の床付き布枠の掴み金具を建枠の横桟又は腕木材に掴ませたまま、階段部材の上端部を枠組足場に組み込むことに支障はないし、階段部材の上端部を枠組足場から取り外すことにも支障はない。
【０１６２】
そして、階段部材の下端部の掴み金具に関しては、この階段部材の掴み金具を建枠の横桟又は腕木材に掴ませることによってこの階段部材が枠組足場に組み込んである状態のときには、階段部材の下端部の掴み金具は、下段の足場の床付き布枠の端面のひさし部又はひさし部材には干渉していない。したがって、階段部材の直下に床付き布枠が設置されていない場合には、床付き布枠の掴み金具を横桟から外し、床付き布枠の端面を持ち上げた状態で、先に階段部材の下端部の掴み金具を横桟に掴ませ、その後に床付き布枠の端面を降ろして、床付き布枠の掴み金具（図示せず）を横桟に掴ませるという手法を採用することによって、階段部材の下端部を枠組足場に組み込むことができるし、階段部材の下端部を枠組足場から取り外すこともできる。ただし、階段部材の直下に床付き布枠が設置されている場合には、この手法は適用できないが、隙間の開いた床付き布枠を用いても支障はない。
【０１６３】
したがって、掴み金具が上端部のみに取り付けられていて下端部は床付き布枠１１の上に載置するタイプの階段部材はもちろんのこと、上下の両端部に掴み金具が取り付けられたタイプの階段部材であっても、ひさし部又はひさし部材のレベルを横桟の上面レベルよりも１５〜３０ｍｍ程度高くして、ひさし部又はひさし部材の下に掴み金具を受容させることができるだけのスペースを確保すれば、階段部材の掴み金具が対向する床付き布枠のひさし部又はひさし部材にぶつかることを回避することができる。
【０１６４】
次に、階段部材の設置場所については、床付き布枠の端面と横桟又は腕木材との間の隙間を少なくすることができるにもかかわらず、階段部材が枠組足場に組み込んである状態のときには、階段部材の掴み金具は、上下段の足場の床付き布枠の端面のひさし部又はひさし部材には干渉していないのであるから、階段部材の設置場所に制限を受けることはなくなる。階段部材は、道路側と建物側のうちのどちらにも設置できるし、場合によっては中央部に設置することもできるから、自由に設置場所を選択することができる。
【０１６５】
図３６は、ひさし部のレベルを横桟の上面レベルよりも高く設定した床付き布枠を隣接する建枠の横桟の間に架け渡したところに、図１３又は図１４に示す階段部材を設置する２例の部分平面図である。
【０１６６】
ひさし部６０を有することによって端面と横桟３との間の隙間を少なくしてなる床付き布枠の大アンチ（図２７）２６（５００ｍｍ幅）と小アンチ２５（２４０ｍｍ幅）の各１枚が水平方向に平行に並べられて、隣接する建枠の横桟３の間に架け渡されたところに階段部材７５が設置される。階段部材の掴み金具５０はひさし部６０の下に受容できるから、図３６(a)の場合はもちろん、図３６(b)の場合も、階段部材７５を取り付けることができる。したがって、道路側と建物側のうちから自由に階段部材７５の設置場所を選択することができる。
【０１６７】
図３７は、ひさし部のレベルを横桟の上面レベルよりも高く設定した床付き布枠を隣接する建枠の横桟の間に架け渡したところに、図１３又は図１４に示す階段部材を設置する他の２例の部分平面図である。ひさし部６０を有することによって端面と横桟３との間の隙間を少なくしてなる床付き布枠の大アンチ（図２７）２６（５００ｍｍ幅）の２枚が水平方向に平行に並べられて、隣接する建枠の横桟３の間に架け渡されたところに階段部材７５が設置される。階段部材の掴み金具５０はひさし部６０の下に受容できるから、図３７(a)の場合はもちろん、図３７(b)の場合も、階段部材７５を取り付けることができる。したがって、階段部材７５を道路側又は建物側だけでなく、中央部にも組み込むことができる。
【０１６８】
このように、図３６及び図３７で示されるように、階段部材の上端部を枠組足場に組み込む際に、階段部材の上端部の掴み金具５０ａは、対向する床付き布枠の端面のひさし部又はひさし部材にぶつかることなく、建枠の横桟３ａを容易に掴むことができる。また、階段部材の上端部の掴み金具５０ａを横桟３ａから取り外すときは、対向する床付き布枠の端面のひさし部又はひさし部材にぶつかることなく、掴み金具５０ａを横桟又は腕木材から取り外すことができる。
【０１６９】
ただし、階段部材の下端部を枠組足場に組み込んだり、取り外したりしようとすると、床付き布枠の端面を持ち上げた状態で、階段部材の下端部の掴み金具を横桟に掴ませるか又は取り外したりする手法を採用するか、又は、隙間の開いた床付き布枠を用いることを余儀なくされる。
【０１７０】
なお、掴み金具が上端部のみに取り付けられていて下端部は床付き布枠１１の上に載置するタイプの階段部材を用いるときは、階段部材の下端部には掴み金具は存在しないので、このような問題はない。
【実施例２】
【０１７１】
図３８は、本発明に係る床付き布枠の他の例であり、(a)は全体平面図、(b)はＣ−Ｃ矢視断面図である。そして、(c)は掴み金具を受容できるスペースを斜線で示したものである。
【０１７２】
この床付き布枠１１は、上側フランジ４１と下側フランジ４２とウェブ４３から形成される断面コの字形状の梁材の外側に梁材と平行に、平板のひさし部材６０を線溶接により接合することによって、ひさし部を形成している。そして、このひさし部材６０の中程には外向きに切り欠き部（スリット）６１が設けられている。
【０１７３】
ここでは、ひさし部材６０を水平に設けたが、図２８に示したように、ひさし部材６０は傾斜させてもよい。
【０１７４】
また、ここでは、梁材の外側に梁材と平行にひさし部材を接合することによってひさし部を形成したが、図２９にみるごとく、床材部３１の端面に上側フランジ４１と下側フランジ４２とウェブ４３から形成される梁材の上側フランジ４１を梁材の幅方向の外側に延長する形で突出させることで、ひさし部４４を形成してもよい。
【０１７５】
なお、図３０に示すように、このひさし部材６０は単板のリブ６３を垂直に取り付けることにより補強されているが、ひさし部材６０だけで強度が保たれる場合は、リブを省略してもよい。また、リブ６３の形状は特に限定するものではなく、図３１に示す単板折り曲げ型や、図３２に示す一体型であってもよい。
【０１７６】
図３９は、ひさし部のレベルを横桟の上面レベルよりも高く設定した床付き布枠（図３８）を隣接する建枠の横桟の間に架け渡したところに、図１３又は図１４に示す階段部材を組み込んだときの階段部材の上端部の掴み金具の干渉の状況の２例を示す一部拡大図（正面図）である。(a)は床付き布枠と階段部材の両方の掴み金具を図示したものであり、そして、(b)は階段部材の掴み金具は図示したが、床付き布枠の掴み金具を図示しなかった。
【０１７７】
このひさし付きの床付き布枠の端部は、床付き布枠の掴み金具の形状を変更することによって、ひさし部のレベルと横桟の上面レベルとの差を２３ｍｍとしたものである。
【０１７８】
上段の足場を構成する建枠の横桟３ａに、床付き布枠１１ａの掴み金具５０ｃを掴ませた後に、階段部材の上端部を左上方ないし右方から移動させて、階段部材の掴み金具５０ａを建枠の横桟３ａに掴ませる。上段の足場の床付き布枠１１ａの右端部の突出部材（ひさし部材）６０と横桟３ａとの間には、垂直方向に２３ｍｍのレベル差があるので、突出部材（ひさし部材）６０と横桟３ａとの間のスペースに階段部材の掴み金具５０ａを収容することができる。なお、階段部材の上端部を左上方又は上方から移動させると、階段部材の掴み金具５０ａは、ひさし部の中程に外向きに設けられた切り欠き部（スリット）６１を通って移動することになる。
【０１７９】
したがって、階段部材の上端部を枠組足場に組み込む際に、階段部材の上端部の掴み金具５０ａは、対向する床付き布枠の端面のひさし部又はひさし部材にぶつかることなく、建枠の横桟３ａを容易に掴むことができる。また、階段部材の上端部の掴み金具５０ａを横桟３ａから取り外すときは、掴み金具５０ａに付属する落下錠５２を解除し、次いで階段部材を左上方ないし右方へ移動させることになる。建枠の横桟３ａの左上方ないし右方には、床付き布枠は設置されていないから、掴み金具５０ａを左上方ないし右方へ容易に移動させることができる。
【０１８０】
このようにして、このひさし付きの床付き布枠を用いると、床付き布枠の両端の隙間を少なくできるとともに、階段部材を枠組足場に組み入れるときに階段部材の上端部の掴み金具が建枠の横桟又は腕木材を確実に掴むことができ、また、階段部材の上端部を枠組足場から取り外すときにも、階段部材の上端部の掴み金具が上段の足場の床付き布枠の端面にぶつかることはないから、階段部材の上端部を枠組足場から取り外すことに何ら支障は生じない。なお、ひさし部に切り欠き部（スリット）６１を設けると、階段部材の上端部を枠組足場に組み込む際に、その階段部材の上端部の掴み金具を横桟又は腕木材に取り付けるときと取り外すときの許容角度を大きくすることができるので、作業性が向上する。
【０１８１】
図４０は、ひさし部のレベルを横桟の上面レベルよりも高く設定した床付き布枠（図３８）を隣接する建枠の横桟の間に架け渡したところに、図１３に示す階段部材を組み込んだときの階段部材の下端部の掴み金具の干渉の状況の３例を示す一部拡大図（正面図）である。ここでは、階段部材の直下には床付き布枠は設置されていない。(a)がこの階段部材の掴み金具を組み込もうとしたとき、(b)がこの階段部材を組み込んであるとき、そして、(c)がこの階段部材を取り外そうとしたときを示す。なお、階段部材の掴み金具は図示したが、床付き布枠の掴み金具は図示しなかった。
【０１８２】
この階段部材の下端部が架け渡される下段の足場の建枠の横桟３ｄには、階段部材の掴み金具５０ｂに加えて、下段の足場の床付き布枠１１ｅの左端部の掴み金具５０ｇ（図示せず）が掴んでいる。
【０１８３】
このひさし付きの床付き布枠の端部は、床付き布枠の掴み金具の形状を変更することによって、ひさし部のレベルと横桟の上面レベルとの差を２３ｍｍとしたものである。
【０１８４】
図４０(a)にみるごとく、階段部材の掴み金具５０ｂは左上方から移動してきて、横桟３ｄを斜めに掴むことになる。下段の足場のひさし付きの床付き布枠１１ｅのひさし部材６０には切り欠き部（スリット）６１が設けられており、階段部材の掴み金具５０ｂはこの切り欠き部（スリット）６１を通り抜けるので、階段部材の掴み金具５０ｂは下段の足場の右側の床付き布枠１１ｅのひさし部材６０とは干渉することはない。したがって、図４０(b)にみるごとく、階段部材の下端部の掴み金具５０ｂは下段の足場の横桟３ｄに掴ませることができる。
【０１８５】
次に、図４０(c)にみるごとく、この階段部材の下端部の掴み金具５０ｂを横桟３ｄから取り外すためには、まず掴み金具５０ｂに付属する落下錠５２を解除して、階段部材の下端部を左上方に持ち上げる。このとき、掴み金具５０ｂを横桟３ｄから完全に外す必要があるが、下段の足場のひさし付きの床付き布枠１１ｅのひさし部材６０には切り欠き部（スリット）６１が設けられており、階段部材の掴み金具５０ｂはこの切り欠き部（スリット）６１を通り抜けるので、階段部材の掴み金具５０ｂは下段の足場の右側の床付き布枠１１ｅのひさし部材６０とは干渉することはない。また、図示しなかったが、階段部材の掴み金具５０ｂと下段の足場の右側の床付き布枠１１ｅの掴み金具５０ｇとも干渉することはない。したがって、階段部材の下端部を左上方に持ち上げることができる。
【０１８６】
このようにして、この切り欠き部（スリット）が設けられた、ひさし付きの床付き布枠を用いると、床付き布枠の両端の隙間を少なくできるとともに、上下の両端部に掴み金具が取り付けられたタイプであっても、階段部材を枠組足場に組み入れることができるし、取り外すことができる。このとき、床付き布枠の端面を持ち上げた状態で、階段部材の下端部の掴み金具を横桟に掴ませるか又は取り外したりしなくてもよい。
【０１８７】
図４１は、ひさし部のレベルを横桟の上面レベルよりも高く設定した床付き布枠（図３８）を隣接する建枠の横桟の間に架け渡したところに、図１３に示す階段部材を組み込んだときの階段部材の下端部の掴み金具の干渉の状況の他の３例示す一部拡大図（正面図）である。ここでは、階段部材の直下に床付き布枠は設置されており、この階段部材の直下に床付き布枠だけは、図８に示す隙間の開いた床付き布枠が用いられている。(a)がこの階段部材の掴み金具を組み込もうとしたとき、(b)がこの階段部材を組み込んであるとき、そして、(c)がこの階段部材を取り外そうとしたときを示す。なお、階段部材の掴み金具は図示したが、床付き布枠の掴み金具は図示しなかった。
【０１８８】
この階段部材の下端部が架け渡される下段の足場の建枠の横桟３ｄには、階段部材の掴み金具５０ｂに加えて、下段の足場の床付き布枠１１ｄの右端部に取り付けられる掴み金具５０ｆ（図示せず）と、下段の足場の床付き布枠１１ｅの左端部の掴み金具５０ｇ（図示せず）が掴んでいる。
【０１８９】
下段の足場の床付き布枠１１ｅは、ひさし部のレベルを横桟の上面レベルよりも高く設定した床付き布枠（図３８）であって、床付き布枠の掴み金具の形状を変更することによって、ひさし部のレベルと横桟の上面レベルとの差を２３ｍｍとしたものである。図４０で説明したとおり、このひさし付きの床付き布枠を用いると、床付き布枠の両端の隙間を少なくできるとともに、上下の両端部に掴み金具が取り付けられたタイプであっても、階段部材を枠組足場に組み入れることができるし、取り外すことができる。
【０１９０】
そして、下段の足場の床付き布枠１１ｄは、図８に示す隙間の開いた床付き布枠を上面の梁材の上側フランジ４１のレベルと横桟３ｄの上面レベルとの差がないように設置されており、階段部材の下端部に取り付けられた掴み金具が、下段の足場の床付き布枠の端面にぶつかることはないので、建枠の横桟又は腕木材を掴むことができる。なお、階段部材の直下に床付き布枠が設置されている場合には、作業員が立ち入る場所ではないので、床付き布枠の梁材と横桟との間に、２０ｍｍ以上の隙間が開いていても、工具や建築資材等が落下するおそれは小さい。
【０１９１】
このようにして、この切り欠き部（スリット）が設けられた、ひさし付きの床付き布枠を用いると、床付き布枠の両端の隙間を少なくできるとともに、上下の両端部に掴み金具が取り付けられたタイプであっても、階段部材を枠組足場に組み入れることができるし、取り外すことができる。このとき、床付き布枠の端面を持ち上げた状態で、階段部材の下端部の掴み金具を横桟に掴ませるか又は取り外したりしなくてもよい。
【０１９２】
以上のとおりであるから、床付き布枠の両端部の梁材の上側フランジを主材の長手方向の外側に延長する形で突出させるか、又は、梁材の外側に梁材と平行にひさし部材を接合することによって、床付き布枠の両端部にひさし部を形成することによって、床付き布枠の端面と横桟又は腕木材との間の隙間を少なくすることができる。そして、ひさし部又はひさし部材のレベルを横桟の上面レベルよりも高くして、ひさし部又はひさし部材の下に掴み金具を受容させることができるだけのスペースを確保し、さらにひさし部に切り欠き部（スリット）が設ければ、階段部材の掴み金具が対向する床付き布枠のひさし部又はひさし部材にぶつかることをさらに回避することができる。そして、そのレベル差としては、通常１５〜３０ｍｍ程度あればよく、２０〜２５ｍｍとするのが好ましい。また、ひさし部又はひさし部材に外向きに設けられる切欠き部（スリット）の位置はその中程に設けるのが好ましいが、特に限定するものではない。また、階段部材の下端部の掴み金具が床付き布枠の端面のひさし部又はひさし部材と干渉することなく通り抜けることができればよいのであるから、切欠き部（スリット）の幅は階段部材の掴み金具の最大幅より大きければよい。通常は、１０〜３０ｍｍ、好ましくは、１５〜２５ｍｍである。
【０１９３】
次に、階段部材の設置場所については、床付き布枠の端面と横桟又は腕木材との間の隙間を少なくすることができるにもかかわらず、階段部材が枠組足場に組み込んである状態のときには、階段部材の掴み金具は、上下段の足場の床付き布枠の端面のひさし部又はひさし部材には干渉していないのであるから、階段部材の設置場所に制限を受けることはなくなる。階段部材は、道路側と建物側のうちのどちらにも設置できるし、場合によっては中央部に設置することもできるから、自由に設置場所を選択することができる。
【０１９４】
図４２は、ひさし部のレベルを横桟の上面レベルよりも高く設定し、そして、ひさし部に切り欠き部（スリット）を設けた床付き布枠を隣接する建枠の横桟の間に架け渡したところに、図１３又は図１４に示す階段部材を設置する２例の部分平面図である。
【０１９５】
ひさし部６０を有することによって端面と横桟３との間の隙間を少なくしてなる床付き布枠の大アンチ（図３８）２６（５００ｍｍ幅）と小アンチ２５（２４０ｍｍ幅）の各１枚が水平方向に平行に並べられて、隣接する建枠の横桟３の間に架け渡されたところに階段部材７５が設置される。階段部材の掴み金具５０はひさし部６０の下に受容できるから、図４２(a)の場合はもちろん、図４２(b)の場合も、階段部材７５を取り付けることができる。したがって、道路側と建物側のうちから自由に階段部材７５の設置場所を選択することができる。
【０１９６】
図４３は、ひさし部のレベルを横桟の上面レベルよりも高く設定し、そして、ひさし部に切り欠き部（スリット）を設けた床付き布枠を隣接する建枠の横桟の間に架け渡したところに、図１３又は図１４に示す階段部材を設置する他の２例の部分平面図である。
【０１９７】
ひさし部６０を有することによって端面と横桟３との間の隙間を少なくしてなる床付き布枠の大アンチ（図３８）２６（５００ｍｍ幅）の２枚が水平方向に平行に並べられて、隣接する建枠の横桟３の間に架け渡されたところに階段部材７５が設置される。階段部材の掴み金具５０はひさし部６０の下に受容できるから、図４３(a)の場合はもちろん、図４３(b)の場合も、階段部材７５を取り付けることができる。したがって、階段部材７５を道路側又は建物側だけでなく、中央部にも組み込むことができる。
【０１９８】
このように、図４２及び図４３で示されるように、階段部材の上端部を枠組足場に組み込む際に、階段部材の上端部の掴み金具５０ａは、対向する床付き布枠の端面のひさし部又はひさし部材にぶつかることなく、建枠の横桟３ａを容易に掴むことができる。また、階段部材の上端部の掴み金具５０ａを横桟３ａから取り外すときは、対向する床付き布枠の端面のひさし部又はひさし部材にぶつかることなく、掴み金具５０ａを右方又は右上方へ容易に移動させることができる。
【０１９９】
ただし、階段部材の直下に床付き布枠が設置される場合には、階段部材の下端部を枠組足場に組み込んだり、取り外したりしようとすると、階段部材の直下の床付き布枠としては、隙間の開いた床付き布枠を用いることを余儀なくされる。
【０２００】
なお、掴み金具が上端部のみに取り付けられていて下端部は床付き布枠１１の上に載置するタイプの階段部材を用いるときは、階段部材の下端部には掴み金具は存在しないので、このような問題はない。
【０２０１】
ここで、ひさし部に切欠き部（スリット）を設けることによって、この切欠き部（スリット）から階段部材や床付き布枠の掴み金具を組み入れて横桟を掴ませたりできるし、この切欠き部（スリット）から階段部材や床付き布枠の掴み金具を取り外したりすることができることを、図４４〜図４７を用いて、説明する。
【０２０２】
図４４は、大アンチ２６と小アンチ２５の各１枚を水平方向に平行に並べて、建枠の横桟３の左側に架け渡されたところに、その同じ横桟３の右側に、まず、小アンチ２５を架け渡したところを示す平面図である。
【０２０３】
ここでは、大アンチ２６（５００ｍｍ幅）と小アンチ２５（２４０ｍｍ幅）とも、端面にひさし部材６０を有し、かつひさし部材６０のレベルを横桟の上面レベルよりも２３ｍｍ高く設定している。そして、大アンチ２６はそのひさし部材６０の中程に外向きに切り欠き部（スリット）６１が設けられている。右側の小アンチ２５の一方の掴み金具５０ａ（図面上で上方のもの）を、左側の大アンチ２６のひさし部材６０の切欠き部（スリット）６１から挿入した後に、この掴み金具５０ａを横桟３に掴ませ、そして横桟３の上を図面上で下方に滑らせて、右側の小アンチ２５の他方の掴み金具５０ｂ（図面上で下方のもの）を横桟３に掴ませたところである。
【０２０４】
図４５は、次いで、建枠の横桟の右側に、このようにして組み込まれた小アンチ２５と平行に、階段部材７５の下端部を取り付けようとする作業を示す。(a)が平面図、(b)が円で囲んだ部分の拡大図、そして、(c)はＥ−Ｅ線矢視拡大図である。
【０２０５】
階段部材７５の下端部の一方の掴み金具５０ｃ（図面上で下方のもの）を、左側の大アンチ２６のひさし部材６０の切欠き部（スリット）６１から挿入し、この掴み金具５０ｃを横桟３に掴ませたが、階段部材７５の下端部の他方の掴み金具５０ｄ（図面上で上方のもの）は左側の小アンチ２５のひさし部材６０の上に載置され、仮置きされている状態である。
【０２０６】
図４６は、ついで、階段部材７５の下端部の両方の掴み金具を横桟に掴ませるまでの作業を示す。(a)が平面図、そして、(b)がＦ−Ｆ線矢視拡大図である。
【０２０７】
下端部の一方の掴み金具５０ｃ（図面上で下方のもの）は横桟３を掴み、そして、他方の掴み金具５０ｄ（図面上で上方のもの）は左側の小アンチ２５のひさし部材６０の上に載置されている階段部材７５を軽く持ち上げ、階段部材７５の下端部の一方の掴み金具５０ｃを横桟３の上を図面上で上方に滑らせ、そして、階段部材７５の下端部の他方の掴み金具５０ｄ（図面上で上方のもの）を横桟３に掴ませる。これで、階段部材７５の下端部の両方の掴み金具５０ｃ、５０ｄは、横桟３を掴んだことになる。
【０２０８】
図４７は、さらに、階段開口手摺りを設置したときの平面図である。
【０２０９】
図４６に示したように、横桟３の右側に組み込んだ階段部材７５と、既に横桟３の右側に組み込まれている小アンチ２５との間に、階段開口手摺８５を設置することで、階段部材の下端部の組み込みが完了する。
【０２１０】
このように、床付き布枠の端面のひさし部又はひさし部材に切欠き部（スリット）を設けると、この切欠き部（スリット）を通して、階段部材や床付き布枠等、掴み金具によって横桟に把持される足場部材を自由に組み込むことができる。
【産業上の利用可能性】
【０２１１】
以上のとおり、本発明によれば、床付き布枠の両端の隙間を少なくできるとともに、階段部材を建物側と道路側を問わず、どの場所にも組み込むことができ、かつ、階段部材を枠組足場に組み入れるときに階段部材の掴み金具が建枠の横桟又は腕木材を確実に掴むことができ、また、階段部材を枠組足場から取り外すときにために階段部材の掴み金具が下段の足場の床付き布枠の端面を回避できる床付き布枠と、この床付き布枠を組み込んでなる枠組足場を提供することができる。
【図面の簡単な説明】
【０２１２】
【図１】Ｈ枠を用いて建枠式の枠組足場を形成する一例である。
【図２】鳥居枠を用いて建枠式の枠組足場を形成する一例である。
【図３】緊結式足場の構造の一例を示す。
【図４】従来技術に係る床付き布枠の一例である。
【図５】図４に示す従来技術に係る床付き布枠の端面の拡大図である。
【図６】従来技術に係る床付き布枠の２例を示す。
【図７】従来技術に係る床付き布枠を隣接する建枠の横桟の間に架け渡して作業床および通路として設置したときの３例を示す。
【図８】隣接する建枠の横桟に従来技術に係る床付き布枠を架け渡す際に床付き布枠の両端に生じる隙間を示す一例である。
【図９】床付き布枠の端面を外側に延長した一例を示す。
【図１０】床付き布枠の端面を外側に延長した他の例を示す。
【図１１】床付き布枠の両端部の梁材の上側フランジを主材の長手方向の外側に延長する形で突出させて、ひさし部を形成したときの断面形状の一例を示す。
【図１２】梁材の外側に梁材と平行にひさし部材を接合することによって、ひさし部を形成したときの断面形状の一例を示す。
【図１３】枠組足場に組み込むことができる階段部材の一例である。(a)が正面図、(b)が右側面図、そして、(c)が(a)の円で示した部分の拡大図である。
【図１４】枠組足場に組み込むことができる階段部材の他の例である。(a)が正面図、(b)が右側面図、そして、(c)が(a)の円で示した部分の拡大図である。
【図１５】床付き布枠の端面と建枠の横桟との間に大きな隙間のある枠組足場に階段部材を組み込んだときの２例（平面図）を示す。
【図１６】床付き布枠の梁材と横桟との間に隙間のある床付き布枠が組み込まれている枠組足場に、図１３に示す階段部材を組み込んだときの階段部材の両端部の掴み金具の状態の一例を示す正面図である。
【図１７】床付き布枠の梁材と横桟との間に隙間のある床付き布枠が組み込まれている枠組足場に、図１３に示す階段部材を組み込んだときの階段部材の両端部の掴み金具の状態の他の例を示す正面図である。
【図１８】図１６又は図１７のＡ−Ａ矢視図（平面図）であって、図１３に示す階段部材を組み込んだときの上部足場の横桟近傍の掴み金具および隙間の状態を示す。
【図１９】図１６又は図１７の円Ｂで示される部分の一部拡大図（正面図）であり、図１３に示す階段部材を組み込むときの階段部材の上端における掴み金具と床付き布枠の端面の位置関係を示す一部拡大図（正面図）である。(a)は床付き布枠と階段部材の両方の掴み金具を図示したものであり、そして、(b)は掴み金具のうち、床付き布枠の掴み金具は図示せず、階段部材の掴み金具のみを図示したものである。
【図２０】図１６の円Ｃで示される部分の一部拡大図であり、図１３に示す階段部材を組み込むとき及び取り外すときの階段部材の下端における掴み金具と床付き布枠の端面の位置関係を示す一部拡大図（正面図）である。
【図２１】図１７の円Ｃで示される部分の一部拡大図であり、図１３に示す階段部材を組み込むとき及び取り外すときの階段部材の下端における掴み金具と床付き布枠の端面の位置関係を示す一部拡大図（正面図）である。
【図２２】図９に示された床付き布枠を隣接する建枠の横桟の間に架け渡したところに、図１３に示す階段部材を設置する２例の部分平面図である。
【図２３】図９に示された床付き布枠を隣接する建枠の横桟の間に架け渡したところに、図１３に示す階段部材を設置する他の２例の部分平面図である。
【図２４】図１１に示された断面を有する、ひさし部付きの床付き布枠を隣接する建枠の横桟の間に架け渡したところに、図１３又は図１４に示す階段部材を組み込もうとしたときの階段部材の上端部の掴み金具との干渉の状態の一例を示す一部拡大図（正面図）である。
【図２５】図９に示された床付き布枠を隣接する建枠の横桟の間に架け渡したところに、図１３に示す階段部材を組み込もうとしたときの階段部材の下端部の掴み金具との干渉の状態の一例を示す一部拡大図（正面図）である。
【図２６】図９に示された床付き布枠を隣接する建枠の横桟の間に架け渡したところに、図１３に示す階段部材を組み込もうとしたときの階段部材の下端部の掴み金具との干渉の状態の他の例を示す一部拡大図（正面図）である。
【図２７】本発明に係る床付き布枠の一例であり、(a)は全体平面図、(b)はＣ−Ｃ矢視断面図である。そして、(c)は掴み金具を受容できるスペースを斜線で示したものである。
【図２８】本発明に係る床付き布枠であって、ひさし部材を傾斜させたときの断面形状の一例を示す。
【図２９】本発明に係る床付き布枠であって、床付き布枠の両端部の梁材の上側フランジを主材の長手方向の外側に延長する形で突出させて、ひさし部を形成したときの断面形状の一例を示す。
【図３０】本発明に係る床付き布枠であって、ひさし部材が単板のリブ６３を垂直に取り付けることにより補強されている一例を示す。
【図３１】本発明に係る床付き布枠であって、ひさし部材が単板折り曲げ型のリブ６３を垂直に取り付けることにより補強されている一例を示す。
【図３２】本発明に係る床付き布枠であって、ひさし部材が一体型のリブ６３を垂直に取り付けることにより補強されている一例を示す。
【図３３】本発明に係る床付き布枠の実施態様であって、ひさし部のレベルを横桟の上面レベルよりも高く設定した床付き布枠（図２７）を隣接する建枠の横桟の間に架け渡したところに、図１３又は図１４に示す階段部材を組み込んだときの階段部材の上端部の掴み金具の干渉の状況の２例を示す一部拡大図（正面図）である。
【図３４】本発明に係る床付き布枠の実施態様であって、ひさし部のレベルを横桟の上面レベルよりも高く設定した床付き布枠（図２７）を隣接する建枠の横桟の間に架け渡したところに、図１３に示す階段部材を組み込んだときの階段部材の下端部の掴み金具の干渉の状況の３例を示す一部拡大図（正面図）である。
【図３５】本発明に係る床付き布枠の実施態様であって、ひさし部のレベルを横桟の上面レベルよりも高く設定した床付き布枠（図２７）を隣接する建枠の横桟の間に架け渡したところに、図１３に示す階段部材を組み込んだときの階段部材の下端部の掴み金具の干渉の状況の他の３例を示す一部拡大図（正面図）である。
【図３６】本発明に係る床付き布枠の実施態様であって、ひさし部のレベルを横桟の上面レベルよりも高く設定した床付き布枠を隣接する建枠の横桟の間に架け渡したところに、図１３又は図１４に示す階段部材を設置する２例の部分平面図である。
【図３７】本発明に係る床付き布枠の実施態様であって、ひさし部のレベルを横桟の上面レベルよりも高く設定した床付き布枠を隣接する建枠の横桟の間に架け渡したところに、図１３又は図１４に示す階段部材を設置する他の２例の部分平面図である。
【図３８】本発明に係る床付き布枠の他の例であり、(a)は全体平面図、(b)はＣ−Ｃ矢視断面図である。そして、(c)は掴み金具を受容できるスペースを斜線で示したものである。
【図３９】本発明に係る床付き布枠の実施態様であって、ひさし部のレベルを横桟の上面レベルよりも高く設定した床付き布枠（図３８）を隣接する建枠の横桟の間に架け渡したところに、図１３又は図１４に示す階段部材を組み込んだときの階段部材の上端部の掴み金具の干渉の状況の２例を示す一部拡大図（正面図）である。
【図４０】本発明に係る床付き布枠の実施態様であって、ひさし部のレベルを横桟の上面レベルよりも高く設定した床付き布枠（図３８）を隣接する建枠の横桟の間に架け渡したところに、図１３に示す階段部材を組み込んだときの階段部材の下端部の掴み金具の干渉の状況の３例を示す一部拡大図（正面図）である。ここでは、階段部材の直下には床付き布枠は設置されていない。
【図４１】本発明に係る床付き布枠の実施態様であって、ひさし部のレベルを横桟の上面レベルよりも高く設定した床付き布枠（図３８）を隣接する建枠の横桟の間に架け渡したところに、図１３に示す階段部材を組み込んだときの階段部材の下端部の掴み金具の干渉の状況の他の３例示す一部拡大図（正面図）である。
【図４２】本発明に係る床付き布枠の実施態様であって、ひさし部のレベルを横桟の上面レベルよりも高く設定し、そして、ひさし部に切り欠き部（スリット）を設けた床付き布枠を隣接する建枠の横桟の間に架け渡したところに、図１３又は図１４に示す階段部材を設置する２例の部分平面図である。
【図４３】本発明に係る床付き布枠の実施態様であって、ひさし部のレベルを横桟の上面レベルよりも高く設定し、そして、ひさし部に切り欠き部（スリット）を設けた床付き布枠を隣接する建枠の横桟の間に架け渡したところに、図１３又は図１４に示す階段部材を設置する２例の部分平面図である。
【図４４】本発明に係る床付き布枠の実施態様であって、ひさし部のレベルを横桟の上面レベルよりも高く設定し、そして、ひさし部に切り欠き部（スリット）を設けた床付き布枠を隣接する建枠の横桟の間に架け渡したところに、図１３又は図１４に示す階段部材を設置する他の２例の部分平面図である。
【図４５】図４４についで、建枠の横桟の右側に、このようにして組み込まれた小アンチ２５と平行に、階段部材７５の下端部を取り付けようとする作業を示す。(a)が平面図、(b)が円で囲んだ部分の拡大図、そして、(c)はＥ−Ｅ線矢視拡大図である。
【図４６】図４５についで、階段部材７５の下端部の両方の掴み金具を横桟に掴ませるまでの作業を示す。(a)が平面図、そして、(b)がＦ−Ｆ線矢視拡大図である。
【図４７】図４６についで、さらに、階段開口手摺りを設置したときの平面図である。
【符号の説明】
【０２１３】
１  Ｈ枠
２  縦柱
３  横桟
３ａ、３ｂ  上段の足場の横桟
３ｃ、３ｄ  下段の足場の横桟
４  鳥居枠
６ａ、６ｂ  ロック金具
７ａ、７ｂ  ロック金具
８ａ、８ｂ  ロック金具
１０  手摺枠
１１  床付き布枠
１１ａ、１１ｂ  上段の足場の床付き布枠
１１ｃ、１１ｄ、１１ｅ  下段の足場の床付き布枠
１３  筋違
１４  支柱
１５  作業用手摺
１６  支柱部材
１９  ブレース材
２０  コマ
２１  腕木材
２２  建物
２５  小アンチ
２６  大アンチ
３０  主材
３１  床材部
３２ａ、３２ｂ  布材部
３３  リップ
３４  布材部のリベット穴
３５  リベット
３６  床材部の溝
３７  リップの屈曲部
４０  梁材
４１  梁材の上側フランジ
４２  梁材の下側フランジ
４３  梁材のウェブ
４４  梁材の上側フランジの突出部（ひさし部）
５０  掴み金具
５０ａ、５０ｂ  階段部材の掴み金具
５０ｃ、５０ｄ、５０ｅ、５０ｆ、５０ｇ  床付き布枠の掴み金具
５１  掴み金具のリベット穴
５２  掴み金具の外れ止め（落下錠）
５３  掴み金具の開口部
６０  突出部材（ひさし部材）
６１  突出部材（ひさし部材）の切欠き部(スリット)
６３  リブ
７０  桟木
７１  エンボス加工
７２  隙間
７５  階段部材
８０  桁材
８１  ステップ
８２  据え置き材
８５  階段開口手摺
Ｗ１、Ｗ２、Ｗ３、Ｗ４  溶接
【図１】
2010090676.tif 000003
【図２】
2010090676.tif 000004
【図３】
2010090676.tif 000005
【図４】
2010090676.tif 000006
【図５】
2010090676.tif 000007
【図６】
2010090676.tif 000008
【図７】
2010090676.tif 000009
【図８】
2010090676.tif 000010
【図９】
2010090676.tif 000011
【図１０】
2010090676.tif 000012
【図１１】
2010090676.tif 000013
【図１２】
2010090676.tif 000014
【図１３】
2010090676.tif 000015
【図１４】
2010090676.tif 000016
【図１５】
2010090676.tif 000017
【図１６】
2010090676.tif 000018
【図１７】
2010090676.tif 000019
【図１８】
2010090676.tif 000020
【図１９】
2010090676.tif 000021
【図２０】
2010090676.tif 000022
【図２１】
2010090676.tif 000023
【図２２】
2010090676.tif 000024
【図２３】
2010090676.tif 000025
【図２４】
2010090676.tif 000026
【図２５】
2010090676.tif 000027
【図２６】
2010090676.tif 000028
【図２７】
2010090676.tif 000029
【図２８】
2010090676.tif 000030
【図２９】
2010090676.tif 000031
【図３０】
2010090676.tif 000032
【図３１】
2010090676.tif 000033
【図３２】
2010090676.tif 000034
【図３３】
2010090676.tif 000035
【図３４】
2010090676.tif 000036
【図３５】
2010090676.tif 000037
【図３６】
2010090676.tif 000038
【図３７】
2010090676.tif 000039
【図３８】
2010090676.tif 000040
【図３９】
2010090676.tif 000041
【図４０】
2010090676.tif 000042
【図４１】
2010090676.tif 000043
【図４２】
2010090676.tif 000044
【図４３】
2010090676.tif 000045
【図４４】
2010090676.tif 000046
【図４５】
2010090676.tif 000047
【図４６】
2010090676.tif 000048
【図４７】
2010090676.tif 000049